(57)【要約】  無線装置から送信されたノイズの信号処理装置への送信を抑制するＦＨＭを提供する。信号処理装置と、複数の無線装置との間の通信を中継するＦＨＭであって、複数の無線装置の装置識別情報と、各無線装置に割り当てられたビーム識別情報と、が対応付けられたテーブルを記憶する記憶部と、複数の無線装置と無線通信を行うユーザ端末のスケジューリング情報を、信号処理装置から受信するスケジューリング情報受信部と、テーブルから、スケジューリング情報に含まれるアップリンクのビーム識別情報に対応する装置識別情報を取得し、取得した装置識別情報から、ユーザ端末を配下に持つ無線装置を特定する特定部と、特定された無線装置から送信されるアップリンク信号を信号処理装置に送信する送信部と、を有する。
2020095460.tif 000002
【特許請求の範囲】
【請求項１】
ユーザ端末と無線通信を行う複数の無線装置と、フロントホールマルチプレクサを介して通信を行う信号処理装置であって、
前記複数の無線装置の装置識別情報と、各無線装置が形成するビーム間で異なるように各ビームに割り当てられたビーム識別情報と、が対応付けられたビーム情報を記憶する記憶部と、
前記ビーム情報を、前記フロントホールマルチプレクサを介して前記複数の無線装置に送信する送信部と、
前記複数の無線端末が前記ユーザ端末から受信した、通信品質の最も良いビームに割り当てられた前記ビーム識別情報を、前記フロントホールマルチプレクサを介して前記複数の無線端末から受信する受信部と、
を有する信号処理装置。
【請求項２】
前記ユーザ端末にデータを送信するとき、前記ユーザ端末から受信した前記ビーム識別情報を前記データに含める制御部、
をさらに有する請求項１に記載の信号処理装置。
【請求項３】
フロントホールマルチプレクサを介して信号処理装置と通信を行い、ユーザ端末と無線通信を行う無線装置であって、
複数の無線装置の装置識別情報と、各無線装置が形成するビーム間で異なるように各ビームに割り当てられたビーム識別情報と、が対応付けられたビーム情報を、前記フロントホールマルチプレクサを介して前記信号処理装置から受信するビーム情報受信部と、
前記ビーム情報から、自機の前記装置識別情報に対応する前記ビーム識別情報を取得する取得部と、
取得された前記ビーム識別情報により識別される各ビームを用いてビームの掃引を行って、前記ビーム識別情報を前記ユーザ端末に送信する掃引部と、
前記ユーザ端末から、通信品質の最も良いビームに割り当てられた前記ビーム識別情報を受信するビーム識別情報受信部と、
受信された前記ビーム識別情報を、前記フロントホールマルチプレクサを介して前記信号処理装置に送信するビーム識別情報送信部と、
を有する無線装置。
【請求項４】
前記ユーザ端末に送信されるデータを、前記フロントホールマルチプレクサを介して前記信号処理装置から受信する受信部と、
前記データに含まれる前記ビーム識別情報により識別されるビームにより、前記データを前記ユーザ端末に送信する送信部と、
をさらに有する請求項３に記載の無線装置。
【請求項５】
信号処理装置と、複数の無線装置との間の通信を中継するフロントホールマルチプレクサであって、
前記複数の無線装置の装置識別情報と、各無線装置が形成するビーム間で異なるように各ビームに割り当てられたビーム識別情報と、が対応付けられたビーム情報を、前記信号処理装置から受信するビーム情報受信部と、
前記複数の無線装置と無線通信を行うユーザ端末のスケジューリング情報を、前記信号処理装置から受信するスケジューリング情報受信部と、
前記ビーム情報から、前記スケジューリング情報に含まれるアップリンクの前記ビーム識別情報に対応する前記装置識別情報を取得し、取得した前記装置識別情報から、前記ユーザ端末を配下に持つ無線装置を特定する特定部と、
特定された前記無線装置から送信されるアップリンク信号を合成する合成部と、
合成された前記アップリンク信号を前記信号処理装置に送信する送信部と、
を有するフロントホールマルチプレクサ。
【請求項６】
ユーザ端末と無線通信を行う複数の無線装置と、フロントホールマルチプレクサを介して通信を行う信号処理装置のビーム制御方法であって、
前記複数の無線装置の装置識別情報と、各無線装置が形成するビーム間で異なるように各ビームに割り当てられたビーム識別情報と、が対応付けられたビーム情報を記憶し、
前記ビーム情報を、前記フロントホールマルチプレクサを介して前記複数の無線装置に送信し、
前記複数の無線端末が前記ユーザ端末から受信した、通信品質の最も良いビームに割り当てられた前記ビーム識別情報を、前記フロントホールマルチプレクサを介して前記複数の無線端末から受信する、
ビーム制御方法。
【請求項７】
フロントホールマルチプレクサを介して信号処理装置と通信を行い、ユーザ端末と無線通信を行う無線装置のビーム制御方法であって、
複数の無線装置の装置識別情報と、各無線装置が形成するビーム間で異なるように各ビームに割り当てられたビーム識別情報と、が対応付けられたビーム情報を、前記フロントホールマルチプレクサを介して前記信号処理装置から受信し、
前記ビーム情報から、自機の前記装置識別情報に対応する前記ビーム識別情報を取得し、
取得された前記ビーム識別情報により識別される各ビームを用いてビームの掃引を行って、前記ビーム識別情報を前記ユーザ端末に送信し、
前記ユーザ端末から、通信品質の最も良いビームに割り当てられた前記ビーム識別情報を受信し、
受信した前記ビーム識別情報を、前記フロントホールマルチプレクサを介して前記信号処理装置に送信する、
ビーム制御方法。
【請求項８】
信号処理装置と、複数の無線装置との間の通信を中継するフロントホールマルチプレクサの信号合成方法であって、
前記複数の無線装置の装置識別情報と、各無線装置が形成するビーム間で異なるように各ビームに割り当てられたビーム識別情報と、が対応付けられたビーム情報を、前記信号処理装置から受信し、
前記複数の無線装置と無線通信を行うユーザ端末のスケジューリング情報を、前記信号処理装置から受信し、
前記ビーム情報から、前記スケジューリング情報に含まれるアップリンクの前記ビーム識別情報に対応する前記装置識別情報を取得し、取得した前記装置識別情報から、前記ユーザ端末を配下に持つ無線装置を特定し、
特定した前記無線装置から送信されるアップリンク信号を合成し、
合成した前記アップリンク信号を前記信号処理装置に送信する、
信号合成方法。
【請求項９】
異なるセルの信号のベースバンド処理をそれぞれが行う複数のベースバンド処理装置と、ユーザ端末と無線通信を行う複数の無線装置との間の通信を中継するフロントホールマルチプレクサであって、
前記複数の無線装置のそれぞれを前記複数のベースバンド処理装置のいずれか１つに接続するための情報を取得する取得部と、
前記情報に基づいて、前記複数の無線装置のそれぞれを前記複数のベースバンド処理装置のいずれか１つに接続するスイッチ部と、
を有するフロントホールマルチプレクサ。
【請求項１０】
前記情報は、前記複数の無線装置と前記複数のベースバンド処理装置との接続を変更する接続変更情報を含み、
前記取得部は、ネットワークを介して前記接続変更情報を取得する、
請求項９に記載のフロントホールマルチプレクサ。
【請求項１１】
前記情報は、前記複数の無線装置のそれぞれのトラフィック量の情報を含み、
前記取得部は、前記複数のベースバンド処理装置から、前記トラフィック量の情報を取得する、
請求項９または１０に記載のフロントホールマルチプレクサ。
【請求項１２】
前記複数の無線装置のそれぞれのトラフィック量を計測するトラフィック量計測部、をさらに備え、
前記情報は、前記トラフィック量計測部により計測されたトラフィック量の情報を含み、
前記取得部は、前記トラフィック量計測部から、前記トラフィック量の情報を取得する、
請求項９乃至１１のいずれか一項に記載のフロントホールマルチプレクサ。
【請求項１３】
前記複数の無線装置の装置識別情報と、各無線装置が形成するビーム間で異なるように各ビームに割り当てられたビーム識別情報と、が対応付けられたビーム情報を、前記複数のベースバンド処理装置から受信するビーム情報受信部と、
前記複数のベースバンド処理装置から、前記ユーザ端末ごとのトラフィック量と、前記ユーザ端末のビームの前記ビーム識別情報とを受信するトラフィック量受信部と、を備え、
前記トラフィック量計測部は、前記ビーム識別情報に基づいて、前記無線装置ごとに在圏している前記ユーザ端末のトラフィック量を合計し、前記無線装置ごとのトラフィック量を計測する、
請求項１２に記載のフロントホールマルチプレクサ。
【請求項１４】
前記複数のベースバンド処理装置の故障を検知する故障検知部、をさらに備え、
前記情報は、前記故障検知部により検知された故障の情報を含み、
前記取得部は、前記故障検知部から、前記故障の情報を取得する、
請求項９乃至１３のいずれか一項に記載のフロントホールマルチプレクサ。
【請求項１５】
前記ベースバンド処理装置から送信された下り信号を複製して、前記ベースバンド処理装置に接続された前記無線装置のそれぞれに出力する複製部と、
前記無線装置のそれぞれから送信された上り信号を合成して、前記ベースバンド処理装置に出力する合成部と、
をさらに有する請求項９乃至１４のいずれか一項に記載のフロントホールマルチプレクサ。
【請求項１６】
フロントホールマルチプレクサと、
ユーザ端末と無線通信を行う複数の無線装置と、前記フロントホールマルチプレクサを介して通信を行う複数のベースバンド処理装置と、
を有する無線通信システムであって、
前記フロントホールマルチプレクサは、
前記複数の無線装置のそれぞれを前記複数のベースバンド処理装置のいずれか１つに接続するための情報を取得する取得部と、
前記情報に基づいて、前記複数の無線装置と前記複数のベースバンド処理装置とを接続するスイッチ部と、を有し、
前記複数のベースバンド処理装置のそれぞれは、
前記複数の無線装置の装置識別情報と、各無線装置が形成するビーム間で異なるように各ビームに割り当てられたビーム識別情報と、が対応付けられたビーム情報を記憶する記憶部と、
前記ビーム情報を、前記フロントホールマルチプレクサを介して前記複数の無線装置に送信するビーム情報送信部と、
前記複数の無線装置が前記ユーザ端末から受信した、通信品質の最も良いビームに割り当てられた前記ビーム識別情報を、前記フロントホールマルチプレクサを介して前記複数の無線装置から受信する受信部と、
前記ユーザ端末から受信した前記ビーム識別情報と、前記記憶部に記憶されている前記ビーム情報とから、前記無線装置ごとに在圏している前記ユーザ端末のトラフィック量を合計し、前記無線装置ごとのトラフィック量を計測する計測部と、
前記トラフィック量の情報を、前記フロントホールマルチプレクサに送信するトラフィック量送信部と、
を有する無線通信システム。
【請求項１７】
信号処理装置と、複数の無線装置との間の通信を中継するフロントホールマルチプレクサであって、
前記複数の無線装置の装置識別情報と、各無線装置に割り当てられたビーム識別情報と、が対応付けられたテーブルを記憶する記憶部と、
前記複数の無線装置と無線通信を行うユーザ端末のスケジューリング情報を、前記信号処理装置から受信するスケジューリング情報受信部と、
前記テーブルから、前記スケジューリング情報に含まれるアップリンクの前記ビーム識別情報に対応する前記装置識別情報を取得し、取得した前記装置識別情報から、前記ユーザ端末を配下に持つ無線装置を特定する特定部と、
特定された前記無線装置から送信されるアップリンク信号を前記信号処理装置に送信する送信部と、
を有するフロントホールマルチプレクサ。
【請求項１８】
前記テーブルから、前記アップリンク信号を送信した前記無線装置の前記装置識別情報に対応する前記ビーム識別情報を取得し、前記アップリング信号のビーム識別情報が設定される領域を、取得した前記ビーム識別情報に書き換える書き換え部、
をさらに有する請求項１７に記載のフロントホールマルチプレクサ。
【請求項１９】
前記信号処理装置からダウンリンク信号を受信する受信部と、
前記ダウンリンク信号に含まれる前記ビーム識別情報を、ビームが無いことを示す情報に書き換える書き換え部と、
前記ビーム識別情報が無いことを示す情報に書き換えられた前記ダウンリンク信号を、前記ダウンリンク信号に含まれていた前記ビーム識別情報に対応する前記装置識別情報の無線装置に送信するダウンリンク送信部と、
をさらに有する請求項１７に記載のフロントホールマルチプレクサ。
【請求項２０】
前記ユーザ端末から前記ユーザ端末の識別情報を受信する識別情報受信部と、
前記ユーザ端末を配下に持つ無線装置の前記装置識別情報に対応する前記ビーム識別情報と、前記識別情報とを前記信号処理装置に送信する端末情報送信部と、
をさらに有する請求項１７に記載のフロントホールマルチプレクサ。
【発明の詳細な説明】
【技術分野】
【０００１】
本発明は、信号処理装置、無線装置、フロントホールマルチプレクサ、ビーム制御方法、および信号合成方法に関する。
【背景技術】
【０００２】
無線ネットワークシステムでは、より快適で安定した高速通信を可能するＣ−ＲＡＮ（Centralized Radio Access Network）が開発された。Ｃ−ＲＡＮでは無線基地局を、ユーザ端末と無線通信を行う無線装置と、この無線装置を制御する信号処理装置とに分離し、信号処理装置にベースバンド信号処理等の機能を集約させる（例えば、特許文献１，２を参照）。【０００３】
また、Ｃ−ＲＡＮを発展させた高度化Ｃ−ＲＡＮも開発された。高度化Ｃ−ＲＡＮでは、マクロセルで広域のサービスエリアを構築するとともに、スモールセルで狭域のサービスエリアを構築する。そして、高度化Ｃ−ＲＡＮでは、スモールセルのエリア内において、マクロセルとは別のＣＣ（Component Carrier）を提供し、マクロセルのＣＣと、スモールセルのＣＣとのＣＡ（Carrier Aggregation）により、広帯域化を実現する。【０００４】
１台の信号処理装置に、より多くの無線装置を収容するため、フロントホール回線を多重するフロントホールマルチプレクサ（ＦＨＭ：FrontHaul Multiplexer）も開発された（例えば、非特許文献１を参照）。ＦＨＭは、信号処理装置と複数の無線装置との間に接続され、例えば、下り信号をセル単位でコピーし、複数の無線装置に分配する。また、ＦＨＭは、例えば、複数の無線装置からの上り信号を合成し、信号処理装置に送信する。
【先行技術文献】
【特許文献】
【０００５】
【特許文献１】特開２０１７−３８１８７号公報
【特許文献２】特表２０１６−５１０５８７号公報
【非特許文献】
【０００６】
【非特許文献１】藤井、諏訪、鳥羽、戸枝「３．５ＧＨｚ帯ＴＤ−ＬＴＥ導入に向けた基地局装置の開発」ＮＴＴ  ＤＯＣＯＭＯ  テクニカルジャーナル，Ｊｕｌ．２０１６，ｖｏｌ．２４  Ｎｏ．２  ｐｐ．８−１３
【発明の概要】
【発明が解決しようとする課題】
【０００７】
ＦＨＭを用いた無線通信システムにおいて、ＢＦ（Beam Forming）を行うことが考えられる。この場合、信号処理装置は、ビーム方向を識別するＢＭＩ（Beam Forming Indicator）をＦＨＭに送信し、ＦＨＭは、ＢＭＩを各無線装置に送信することが考えられる。ＢＭＩは、ＦＨＭでコピーされて、各無線装置に送信されるので、ＦＨＭ配下の各無線装置は、同一のＢＭＩに基づいて、ビーム方向を制御することになる。【０００８】
このように、複数の無線装置が、ＦＨＭから送信された同一のＢＭＩに基づいて、ビーム方向を制御すると、各無線装置のビーム方向を個別に（独立して）制御できないという問題がある。【０００９】
また、ＦＨＭを用いて無線ネットワークシステムを構築するとき、計画時における各セルのトラフィック量と、実際に無線ネットワークシステムを構築したときの各セルのトラフィック量とが異なる場合がある。このような場合、例えば、セルを形成する無線装置の数を変更することによってセルの大きさを変更し、実際のトラフィック量に対応した、適切な無線ネットワークシステムを提供することができる。【００１０】
例えば、トラフィック量の多いセルでは、そのセルを形成する無線装置を減らしてセルを小さくし、そのセルのトラフィック量（そのセルの信号をベースバンド処理するベースバンド処理装置のトラフィック量）を小さくする。これにより、無線ネットワークシステムは、実際のトラフィック量に適した無線通信サービスを提供することができる。【００１１】
しかし、複数の無線装置が形成するセルを変更するには、信号処理装置、ＦＨＭ、および無線装置間の接続関係を変更する必要があり、接続関係を変更するには、信号処理装置、ＦＨＭ、および無線装置間の配線を挿抜する作業が必要となって、手間がかかる。【００１２】
また、ＦＨＭは、無線装置から送信されたアップリンク信号ととともに、他の無線装置から送信されたノイズをアップリンク信号として、信号処理装置に送信する場合がある。【００１３】
本発明は、ＦＨＭ配下の各無線装置のビーム方向を個別に制御できる技術を提供することを目的とする。【００１４】
また、本発明は、複数の無線装置が形成するセルを、容易に変更できる技術を提供することを目的とする。【００１５】
また、本発明は、無線装置から送信されたノイズを信号処理装置に送信しない技術を提供することを目的とする。
【課題を解決するための手段】
【００１６】
本発明の信号処理装置は、ユーザ端末と無線通信を行う複数の無線装置と、フロントホールマルチプレクサを介して通信を行う信号処理装置であって、前記複数の無線装置の装置識別情報と、各無線装置が形成するビーム間で異なるように各ビームに割り当てられたビーム識別情報と、が対応付けられたビーム情報を記憶する記憶部と、前記ビーム情報を、前記フロントホールマルチプレクサを介して前記複数の無線装置に送信する送信部と、前記複数の無線端末が前記ユーザ端末から受信した、通信品質の最も良いビームに割り当てられた前記ビーム識別情報を、前記フロントホールマルチプレクサを介して前記複数の無線端末から受信する受信部と、を有する。【００１７】
本発明の無線装置は、フロントホールマルチプレクサを介して信号処理装置と通信を行い、ユーザ端末と無線通信を行う無線装置であって、複数の無線装置の装置識別情報と、各無線装置が形成するビーム間で異なるように各ビームに割り当てられたビーム識別情報と、が対応付けられたビーム情報を、前記フロントホールマルチプレクサを介して前記信号処理装置から受信するビーム情報受信部と、前記ビーム情報から、自機の前記装置識別情報に対応する前記ビーム識別情報を取得する取得部と、取得された前記ビーム識別情報により識別される各ビームを用いてビームの掃引を行って、前記ビーム識別情報を前記ユーザ端末に送信する掃引部と、前記ユーザ端末から、通信品質の最も良いビームに割り当てられた前記ビーム識別情報を受信するビーム識別情報受信部と、受信された前記ビーム識別情報を、前記フロントホールマルチプレクサを介して前記信号処理装置に送信するビーム識別情報送信部と、を有する。【００１８】
本発明のフロントホールマルチプレクサは、信号処理装置と、複数の無線装置との間の通信を中継するフロントホールマルチプレクサであって、前記複数の無線装置の装置識別情報と、各無線装置が形成するビーム間で異なるように各ビームに割り当てられたビーム識別情報と、が対応付けられたビーム情報を、前記信号処理装置から受信するビーム情報受信部と、前記複数の無線装置と無線通信を行うユーザ端末のスケジューリング情報を、前記信号処理装置から受信するスケジューリング情報受信部と、前記ビーム情報から、前記スケジューリング情報に含まれるアップリンクの前記ビーム識別情報に対応する前記装置識別情報を取得し、取得した前記装置識別情報から、前記ユーザ端末を配下に持つ無線装置を特定する特定部と、特定された前記無線装置から送信されるアップリンク信号を合成する合成部と、合成された前記アップリンク信号を前記信号処理装置に送信する送信部と、を有する。【００１９】
本発明のフロントホールマルチプレクサは、異なるセルの信号のベースバンド処理をそれぞれが行う複数のベースバンド処理装置と、ユーザ端末と無線通信を行う複数の無線装置との間の通信を中継するフロントホールマルチプレクサであって、前記複数の無線装置のそれぞれを前記複数のベースバンド処理装置のいずれか１つに接続するための情報を取得する取得部と、前記情報に基づいて、前記複数の無線装置のそれぞれを前記複数のベースバンド処理装置のいずれか１つに接続するスイッチ部と、を有する。【００２０】
また、本発明の無線通信システムは、フロントホールマルチプレクサと、ユーザ端末と無線通信を行う複数の無線装置と、前記フロントホールマルチプレクサを介して通信を行う複数のベースバンド処理装置と、を有する無線通信システムであって、前記フロントホールマルチプレクサは、前記複数の無線装置のそれぞれを前記複数のベースバンド処理装置のいずれか１つに接続するための情報を取得する取得部と、前記情報に基づいて、前記複数の無線装置と前記複数のベースバンド処理装置とを接続するスイッチ部と、を有し、前記複数のベースバンド処理装置のそれぞれは、前記複数の無線装置の装置識別情報と、各無線装置が形成するビーム間で異なるように各ビームに割り当てられたビーム識別情報と、が対応付けられたビーム情報を記憶する記憶部と、前記ビーム情報を、前記フロントホールマルチプレクサを介して前記複数の無線装置に送信するビーム情報送信部と、前記複数の無線装置が前記ユーザ端末から受信した、通信品質の最も良いビームに割り当てられた前記ビーム識別情報を、前記フロントホールマルチプレクサを介して前記複数の無線装置から受信する受信部と、前記ユーザ端末から受信した前記ビーム識別情報と、前記記憶部に記憶されている前記ビーム情報とから、前記無線装置ごとに在圏している前記ユーザ端末のトラフィック量を合計し、前記無線装置ごとのトラフィック量を計測する計測部と、前記トラフィック量の情報を、前記フロントホールマルチプレクサに送信するトラフィック量送信部と、を有する。【００２１】
本発明のフロントホールマルチプレクサは、信号処理装置と、複数の無線装置との間の通信を中継するフロントホールマルチプレクサであって、前記複数の無線装置の装置識別情報と、各無線装置に割り当てられたビーム識別情報と、が対応付けられたテーブルを記憶する記憶部と、前記複数の無線装置と無線通信を行うユーザ端末のスケジューリング情報を、前記信号処理装置から受信するスケジューリング情報受信部と、前記テーブルから、前記スケジューリング情報に含まれるアップリンクの前記ビーム識別情報に対応する前記装置識別情報を取得し、取得した前記装置識別情報から、前記ユーザ端末を配下に持つ無線装置を特定する特定部と、特定された前記無線装置から送信されるアップリンク信号を前記信号処理装置に送信する送信部と、を有する。
【発明の効果】
【００２２】
本発明によれば、ＦＨＭを介してＢＭＩを各無線装置に送信する場合に、各無線装置のビーム方向を個別に制御できる。【００２３】
本発明によれば、複数の無線装置が形成するセルを、容易に変更することができる。【００２４】
本発明によれば、無線装置から送信されたノイズの信号処理装置への送信を抑制できる。
【図面の簡単な説明】
【００２５】
【図１】第１の実施の形態に係る無線基地局の構成例を示した図である。
【図２】ＦＨＭの概略動作を説明する図である。
【図３】ＣＵとＤＵとの間にＦＨＭが接続されない場合のスループットと、ＣＵとＤＵとの間にＦＨＭが接続される場合のスループットの例を説明する図である。
【図４】図１のＣＵのブロック例を示した図である。
【図５】記憶部に記憶されるビーム情報のデータ構成例を示した図である。
【図６】図１のＤＵのブロック例を示した図である。
【図７】ＤＵのビーム識別情報の取得を説明する図である。
【図８】ビームの掃引を説明する図である。
【図９】ビーム識別情報のフィードバックを説明する図である。
【図１０】ビームの掃引タイミングの例を説明する図である。
【図１１】ユーザ端末へのデータ送信例を説明する図である。
【図１２】第２の実施の形態に係るＦＨＭのブロック例を示した図である。
【図１３】ＦＨＭの信号合成例を説明する図である。
【図１４】ＦＨＭの信号合成例を説明する図である。
【図１５】第３の実施の形態に係る無線基地局の構成例を示した図である。
【図１６】セルのトラフィック量の例を説明する図のその１である。
【図１７】セルのトラフィック量の例を説明する図のその２である。
【図１８】計画時のトラフィック量に基づいて、ＦＨＭのスイッチが設定された無線基地局の構成例を示した図である。
【図１９】ＦＨＭのスイッチの接続が変更された無線基地局の構成例を示した図である。
【図２０】ＦＨＭのブロック構成例を示した図である。
【図２１】第４の実施の形態に係る無線基地局の構成例を示した図である。
【図２２】ＣＵのＢＢ処理装置のブロック構成例を示した図である。
【図２３】記憶部に記憶されるビーム情報のデータ構成例を示した図である。
【図２４】ＦＨＭのブロック構成例を示した図である。
【図２５】ＦＨＭおよびＤＵのビーム識別情報の取得を説明する図である。
【図２６】ビームの掃引を説明する図である。
【図２７】ビーム識別情報のフィードバックを説明する図である。
【図２８】ユーザ端末へのデータ送信例を説明する図である。
【図２９】ＤＵごとのトラフィック量の計測を説明する図である。
【図３０】第５の実施の形態に係るＦＨＭのブロック構成例を示した図である。
【図３１】ＢＢ処理装置の一方が故障したときの無線基地局の動作例を説明する図である。
【図３２】第６の実施の形態に係るＦＨＭの動作例を説明する図である。
【図３３】本発明の実施の形態に係る無線基地局及びユーザ端末のハードウェア構成の一例を示す図である。
【発明を実施するための形態】
【００２６】
以下、本発明の実施の形態を、図面を参照して説明する。
【００２７】
［第１の実施の形態］
図１は、第１の実施の形態に係る無線基地局の構成例を示した図である。図１に示すように、無線基地局は、ＣＵ（Centralized Unit）１と、ＦＨＭ２と、ＤＵ（Distributed Unit）３ａ〜３ｃと、を有している。図１には、ＤＵ３ａ〜３ｃと無線通信を行うユーザ端末４ａ〜４ｃも示してある。図１に示す無線基地局は、例えば、高度化Ｃ−ＲＡＮを形成している。
【００２８】
ＣＵ１とＦＨＭ２は、例えば、光ファイバによって接続されている。ＦＨＭ２とＤＵ３ａ〜３ｃは、例えば、光ファイバによって接続されている。
【００２９】
ＣＵ１は、コアネットワーク（図示せず）に接続されている。ＣＵ１は、コアネットワークから受信した信号（データ）をＦＨＭ２に送信する。また、ＣＵ１は、ＦＨＭ２から受信した信号をコアネットワークに送信する。ＣＵ１は、信号のベースバンド処理およびＤＵ３ａ〜３ｃの保守監視処理等を行う。
【００３０】
ＦＨＭ２は、ＣＵ１と複数のＤＵ３ａ〜３ｃとの間のフロントホール回線を多重する。例えば、ＦＨＭ２は、ＣＵ１から受信した信号をコピーしてＤＵ３ａ〜３ｃに送信する。また、ＦＨＭ２は、ＤＵ３ａ〜３ｃｃから受信した信号を合成してＣＵ１に送信する。
【００３１】
ＤＵ３ａ〜３ｃは、ＦＨＭ２を介して、ＣＵ１から受信した信号をユーザ端末４ａ〜４ｃに送信する。また、ＤＵ３ａ〜３ｃは、ユーザ端末４ａ〜４ｂｃから受信した信号を、ＦＨＭ２を介してＣＵ１に送信する。
【００３２】
ＤＵ３ａ〜３ｃは、例えば、数十から数百本のアンテナを有し、ユーザ端末４ａ〜４ｃと無線通信を行う。ＤＵ３ａ〜３ｃは、複数のアンテナを用いて、信号の振幅および位相を制御し、ユーザ端末４ａ〜４ｃに指向性を有するビームを形成して信号を送受信する。ＤＵ３ａ〜３ｃは、様々な方向にビームを形成することができる。
【００３３】
なお、図１の無線基地局は、高度化Ｃ−ＲＡＮを形成するとしたが、Ｃ−ＲＡＮを形成してもよい。また、図１では、ＣＵ１の配下に１台のＦＨＭ２しか接続されていないが、複数のＦＨＭ２が接続されてもよい。
【００３４】
また、ＣＵ１は、例えば、ＢＤＥ（Base station Digital processing Equipment）、ＢＢＵ（Base Band Unit）、無線制御装置、親局、または信号処理装置と呼ばれてもよい。また、ＤＵ３ａ〜３ｃは、例えば、ＲＲＨ（Remote Radio Head）、子局、または無線装置と呼ばれてもよい。
【００３５】
図２は、ＦＨＭ２の概略動作を説明する図である。図２において、図１と同じものには同じ符号が付してある。
【００３６】
図２に示す信号Ｓ１は、ＣＵ１からＤＵ３ａ〜３ｃに送信されるＤＬ（Down Link）信号を示している。信号Ｓ１は、信号Ｓ２ａ〜Ｓ２ｃに示すように、ＦＨＭ２によってコピーされ、ＤＵ３ａ〜３ｃに送信される。
【００３７】
図２に示す信号Ｓ３ａ〜３ｃは、ＤＵ３ａ〜３ｃからＣＵ１に送信されるＵＬ（Up Link）信号を示している。信号Ｓ３ａ〜３ｃは、信号Ｓ４に示すように、ＦＨＭ２によって合成され、ＣＵ１に送信される。
【００３８】
このように、ＦＨＭ２は、ＣＵ１からＤＵ３ａ〜３ｃに送信されるＤＬ信号をコピーする。また、ＦＨＭ２は、ＤＵ３ａ〜３ｃからＣＵ１に送信されるＵＬ信号を合成する。これにより、ＣＵ１は、複数のＤＵ３ａ〜３ｃを１セルとして収容することができる。
【００３９】
図３は、ＣＵとＤＵとの間にＦＨＭが接続されない場合のスループットと、ＣＵとＤＵとの間にＦＨＭが接続される場合のスループットの例を説明する図である。
【００４０】
図３には、ＣＵ１１ａ，１１ｂが示してある。ＣＵ１１ａには、ＦＨＭを介さずに、８台のＤＵ（図示せず）が接続されているとする。また、ＣＵ１１ｂには、ＦＨＭを介さずに、８台のＤＵ（図示せず）が接続されているとする。
【００４１】
また、図３には、ＣＵ２１と、ＦＨＭ２２ａ，２２ｂと、が示してある。ＦＨＭ２２ａには、８台のＤＵ（図示せず）が接続されているとする。また、ＦＨＭ２２ｂには、８台のＤＵ（図示せず）が接続されているとする。
【００４２】
スループット１２ａ（８本の円柱）は、ＣＵ１１ａと、８台のＤＵとの間の規格上のピークスループットを示している。スループット１２ａに示すハッチング部分は、ＣＵ１１ａと、８台のＤＵとの間の瞬時スループット（ある時刻におけるスループット）を示している。
【００４３】
スループット１２ｂ（８本の円柱）は、ＣＵ１１ｂと、８台のＤＵとの間の規格上のピークスループットを示している。スループット１２ｂに示すハッチング部分は、ＣＵ１１ｂと、８台のＤＵとの間の瞬時スループットを示している。
【００４４】
スループット２３ａ（８本の円柱）は、ＦＨＭ２２ａと、８台のＤＵとの間の瞬時スループットを示している。スループット２４ａは、ＣＵ２１と、ＦＨＭ２２ａとの間の瞬時スループットを示している。ＦＨＭ２２ａは、図２で説明したように、ＤＬ信号をコピーし、また、ＵＬ信号を合成するので、ＣＵ２１とＦＨＭ２２ａとの間の瞬時スループットは、スループット２４ａに示すように、スループット２３ａ（８本の円柱）を合計したスループットとなる。
【００４５】
スループット２３ｂ（８本の円柱）は、ＦＨＭ２２ｂと、８台のＤＵとの間の瞬時スループットを示している。スループット２４ｂは、ＣＵ２１と、ＦＨＭ２２ｂとの間の瞬時スループットを示している。ＦＨＭ２２ｂは、図２で説明したように、ＤＬ信号をコピーし、また、ＵＬ信号を合成するので、ＣＵ２１とＦＨＭ２２ｂとの間の瞬時スループットは、スループット２４ｂに示すように、スループット２３ｂ（８本の円柱）を合計したスループットとなる。
【００４６】
ＣＵとＤＵとの間にＦＨＭを接続しない場合、ＣＵとＤＵは、図３のスループット１２ａ，１２ｂに示すように、ピークスループットに対し余裕を生じることがあり、リソースを効率的に利用していない場合がある。一方、ＣＵとＤＵとの間にＦＨＭを接続した場合、ＣＵとＤＵは、図３のスループット２４ａ，２４ｂに示すように、リソースを効率的に利用することができる。
【００４７】
次世代の無線通信システム（例えば、５Ｇ）では、無線周波数は、例えば、数ＧＨｚ〜数十ＧＨｚの高周波帯を利用することが検討されている。電波は、高周波化により、直進性が増し、ビル影等によってユーザ端末に届きにくくなる。そのため、次世代の無線通信システムでは、ＤＵを増やしてエリアをスモールエリア化し、ビームフォーミングにより、無線通信を行うことが検討されている。
【００４８】
無線基地局は、このようなＤＵの増加に対し、ＦＨＭを用いることで、必要な無線容量が少ない場所でのスモールエリア化において、より多くのＤＵを１台のＣＵに収容することが可能となる。例えば、図３のＦＨＭ２２ａ，２２ｂを用いるＣＵ２１の例では、１台のＣＵ２１に、１６台のＤＵが収容されている。すなわち、無線基地局は、ＦＨＭを用いることで、少ない投資でＤＵの数を増やすことができる。例えば、少ない投資で、５Ｇのエリアを増やすことができる。なお、ＦＨＭを用いた場合、図３の例では、１台のＦＨＭの配下に、６４台のＤＵを収容することができる。
【００４９】
図４は、図１のＣＵ１のブロック例を示した図である。図４に示すように、ＣＵ１は、制御部３１と、記憶部３２と、Ｉ／Ｆ部３３と、送信信号生成部３４と、符号化・変調部３５と、マッピング部３６と、送信部３７と、受信部３８と、デマッピング部３９と、チャネル推定部４０と、復調・復号部４１と、通信品質取得部４２と、を有している。
【００５０】
制御部３１は、通信品質取得部４２から出力される、ＤＵ３ａ〜３ｃとユーザ端末４ａ〜４ｃとの間の通信品質に基づいて、ＤＬ信号のスケジューリングを行う。ＤＬ信号には、ＤＬデータ信号およびＤＬ制御信号が含まれる。ＤＬデータ信号は、例えば、ＰＤＳＣＨ（Physical Downlink Shared Channel）を用いて送信される。ＤＬ制御信号は、例えば、ＰＤＣＣＨ（Physical Downlink Control Channel）を用いて送信される。
【００５１】
また、制御部３１は、通信品質取得部４２から出力される、ＤＵ３ａ〜３ｃとユーザ端末４ａ〜４ｃとの間の通信品質に基づいて、ＵＬ信号のスケジューリングを行う。ＵＬ信号には、ＵＬデータ信号およびＵＬ制御信号が含まれる。ＵＬデータ信号は、例えば、ＰＵＳＣＨ（Physical Uplink Shared Channel）を用いて送信される。ＵＬ制御信号は、例えば、ＰＵＣＣＨ（Physical Uplink Control Channel）を用いて送信される。
【００５２】
また、制御部３１は、通信品質取得部４２から出力される、ＤＵ３ａ〜３ｃとユーザ端末４ａ〜４ｃとの間の通信品質に基づいて、ＤＬデータ信号およびＵＬデータ信号のＭＣＳ（Modulation and Coding Scheme）等を決定する。なお、ＭＣＳは、ＣＵ１が設定する場合に限定されず、ユーザ端末４ａ〜４ｃが設定してもよい。ユーザ端末４ａ〜４ｃがＭＣＳを設定する場合、ＣＵ１は、ユーザ端末４ａ〜４ｃからＭＣＳ情報を受信すればよい。
【００５３】
また、制御部３１は、以下で説明する記憶部３２に記憶されているビーム情報を、ＦＨＭ２を介して、ＤＵ３ａ〜３ｃに送信する。例えば、制御部３１は、記憶部３２に記憶されているビーム情報５１をＤＬ制御信号に含め、ＤＵ３ａ〜３ｃに送信する。または、制御部３１は、記憶部３２に記憶されているビーム情報５１を、例えば、ＤＵ３ａ〜３ｃを保守または監視する信号に含め、ＤＵ３ａ〜３ｃに送信する。
【００５４】
制御部３１は、生成したＤＬ信号およびＵＬ信号のスケジューリング情報を送信信号生成部３４およびマッピング部３６に出力する。また、制御部３１は、生成したＭＣＳ情報を送信信号生成部３４および符号化・変調部３５に出力する。
【００５５】
記憶部３２には、ＤＵ３ａ〜３ｃが形成するビームの方向を識別するビーム情報が記憶されている。ビーム情報は、例えば、予め記憶部３２に記憶されている。ビーム情報は、例えば、ＦＨＭ２に新たなＤＵが接続されたとき、または、ＤＵが変更（交換）されたとき、更新される。ビーム情報は、例えば、上位装置から送信され、記憶部３２に記憶されてもよい。
【００５６】
図５は、記憶部３２に記憶されるビーム情報のデータ構成例を示した図である。図５に示すように、ビーム情報５１は、ＤＵ識別情報５１ａと、ビーム識別情報５１ｂと、有している。
【００５７】
ＤＵ識別情報５１ａは、複数のＤＵ３ａ〜３ｃを識別するユニークな識別情報である。例えば、図５に示す「ＤＵ＃１」は、図１に示したＤＵ３ａに付与された識別子であり、「ＤＵ＃２」は、ＤＵ３ｂに付与された識別子である。また、図５に示す「ＤＵ＃ｎ」は、例えば、ＤＵ３ｃに付与された識別子である。
【００５８】
ビーム識別情報５１ｂは、各ＤＵ３ａ〜３ｃが形成するビーム間で異なるように各ビームに割り当てられる（例えば、図８に示すビーム７１ａ〜７１ｄ，７２ａ〜７２ｄ，７３ａ〜７３ｄのそれぞれで異なるように割り当てられる）、ビーム方向を識別する識別情報である。言い換えれば、ビーム識別情報５１ｂは、複数のＤＵ３ａ〜３ｃ（ＤＵ識別情報５１ａ）にわたり、ユニークな情報となっている。ビーム識別情報５１ｂは、ＤＵ識別情報５１ａのそれぞれに対して、少なくとも１つ以上対応付けられ、記憶部３２に記憶される。
【００５９】
例えば、図５に示すビーム識別情報５１ｂの「ＢＭＩ１〜ＢＭＩ４」は、ＤＵ識別情報５１ａの「ＤＵ＃１」に対応付けられ、ビーム識別情報５１ｂの「ＢＭＩ５〜ＢＭＩ８」は、ＤＵ識別情報５１ａの「ＤＵ＃２」に対応付けられている。また、例えば、図５に示すビーム識別情報５１ｂの「ＢＭＩｍ−３〜ＢＭＩｍ」は、ＤＵ識別情報５１ａの「ＤＵ＃ｎ」に対応付けられている。そして、ビーム識別情報５１ｂの「ＢＭＩ１，ＢＭＩ２，…，ＢＭＩｍ−１，ＢＭＩｍ」は、ＤＵ識別情報５１ａの「ＤＵ＃１〜ＤＵ＃ｎ」にわたり、ユニークな情報となっている。
【００６０】
なお、図５では、ＤＵ識別情報５１ａのそれぞれに対し、４つのビーム識別情報５１ｂが対応付けられているが、これに限られない。例えば、ＤＵ識別情報５１ａに対応付けられるビーム識別情報５１ｂの数は、ＤＵ３ａ〜３ｃが形成できるビームの方向の数に依存してもよい。
【００６１】
図４の説明に戻る。Ｉ／Ｆ部３３は、コアネットワークに接続された上位装置と通信を行う。例えば、Ｉ／Ｆ部３３は、上位装置からデータを受信し、送信信号生成部３４に出力する。また、Ｉ／Ｆ部３３は、復調・復号部４１から出力されたデータを上位装置に送信する。Ｉ／Ｆ部３３は、例えば、物理レイヤまたはＭＡＣレイヤより上位のレイヤに関する処理などを行う。
【００６２】
送信信号生成部３４は、ＤＬデータ信号およびＤＬ制御信号を含むＤＬ信号を生成し、符号化・変調部３５に出力する。ＤＬデータ信号には、例えば、Ｉ／Ｆ部３３が受信したデータ（ユーザデータ）が含まれる。また、ＤＬ制御信号には、制御部３１が生成した、ＤＬデータ信号の無線リソース割り当て情報と、ＵＬデータ信号の無線リソース割当情報と含むスケジューリング情報が含まれる。また、ＤＬ制御信号には、制御部３１が生成したＭＣＳ情報を含む下り制御情報（例えば、ＤＣＩ：Downlink Control Information）が含まれる。
【００６３】
符号化・変調部３５は、制御部３１が生成したＭＣＳ情報に基づいて、送信信号生成部３４から出力されたＤＬ信号に対して、符号化処理および変調処理を行う。符号化・変調部３５は、符号化処理および変調処理したＤＬ信号を、マッピング部３６に出力する。
【００６４】
マッピング部３６は、制御部３１が生成したスケジューリング情報に基づいて、符号化・変調部３５から出力されたＤＬ信号を、所定の無線リソース（ＤＬリソース）にマッピングする。マッピング部３６は、無線リソースにマッピングしたＤＬ信号を、送信部３７に出力する。
【００６５】
送信部３７は、マッピング部３６から出力されたＤＬ信号を電気−光変換し、光ファイバに出力（ＦＨＭ２に送信）する。
【００６６】
受信部３８は、光ファイバから（ＦＨＭ２から）受信した光信号を光−電気変換し、デマッピング部３９に出力する。
【００６７】
デマッピング部３９は、制御部３１が生成したスケジューリング情報（ＵＬの無線リソース割当情報）に基づいて、受信部３８から出力されたＵＬ信号から、ユーザ端末４ａ〜４ｃのＵＬデータ信号およびＵＬ制御信号を分離（デマッピング）する。デマッピング部３９は、デマッピングしたＵＬ制御信号をチャネル推定部４０に出力する。また、デマッピング部３９は、デマッピングしたＵＬデータ信号およびＵＬ制御信号を復調・復号部４１に出力する。
【００６８】
チャネル推定部４０は、デマッピング部３９から出力されたＵＬ制御信号に含まれる参照信号に基づいて、ＵＬのチャネル状態を推定する。
【００６９】
復調・復号部４１は、チャネル推定部４０によって推定されたチャネル状態に基づいて、デマッピング部３９から出力されたＵＬ制御信号およびＵＬデータ信号の復調および復号を行う。復調・復号部４１は、復調および復号したＵＬ制御信号を、通信品質取得部４２に出力する。また、復調・復号部４１は、復調および復号したＵＬデータ信号を、Ｉ／Ｆ部３３に出力する。
【００７０】
通信品質取得部４２は、復調・復号部４１から出力されたＵＬ制御信号から、ＤＵ３ａ〜３ｃとユーザ端末４ａ〜４ｃとの間のＤＬの通信品質を取得する。通信品質取得部４２は、取得した通信品質を制御部３１に出力する。
【００７１】
なお、図４では、ＭＩＭＯ（multiple-input and multiple-output）処理を実施するための構成部（例えば、プリコーディング部およびプリフィルタリング部等）の記載を省略している。ＣＵ１は、例えば、符号化・変調部３５から出力された信号に対し、プリコーディングを行う。また、ＣＵ１は、例えば、デマッピング部３９から出力された信号に対し、プリフィルタリング処理を行う。
【００７２】
図６は、図１のＤＵ３ａのブロック例を示した図である。図６に示すように、ＤＵ３ａは、受信部６１と、制御部６２と、デジタルＢＦ（Beam Forming）部６３，６８と、ＩＦＦＴ（Inverse Fast Fourier Transform）／ＣＰ（Cyclic Prefix）部６４と、無線部６５，６６と、ＦＦＴ（Fast Fourier Transform）／ＣＰ部６７と、送信部６９と、を有している。
【００７３】
なお、ＤＵ３ｂ，３ｃは、ＤＵ３ａと同様のブロックを有するのでその説明を省略する。また、図６では、受信部６１と、ＩＦＦＴ／ＣＰ部６４との間に、デジタルＢＦ部６３が設けられているが、ＩＦＦＴ／ＣＰ部６４の後段に、アナログＢＦが設けられてもよい。
【００７４】
受信部６１は、ＦＨＭ２から送信された光信号を受信して光−電気変換し、制御部６２およびデジタルＢＦ部６３に出力する。受信部６１によって受信される信号には、ＤＬ信号が含まれる。また、受信部６１によって受信される信号には、ビーム情報５１が含まれる。
【００７５】
制御部６２は、以下で詳述するように、自機に割り当てられているＤＵ識別情報に基づいて、受信部６１によって受信されたビーム情報５１を参照し、自機のＤＵ識別情報に対応するビーム識別情報５１ｂを取得する。そして、制御部６２は、デジタルＢＦ部６３を制御し、アンテナから出力するビームを掃引する。
【００７６】
デジタルＢＦ部６３は、受信部６１によって受信された信号に、ユーザ端末４ａ〜４ｃからフィードバックされたビーム識別情報５１ｂ（ＢＭＩ）に対応するＢＦウェイトを乗算する。デジタルＢＦ部６３は、ＢＦウェイトを乗算した信号を、ＩＦＦＴ／ＣＰ部６４に出力する。ビーム識別情報５１ｂのフィードバックについては、以下で詳述する。
【００７７】
ＩＦＦＴ／ＣＰ部６４は、デジタルＢＦ部６３から出力された信号に対し、ＩＦＦＴ処理を施し、ＣＰを付加する。ＩＦＦＴ／ＣＰ部６４は、ＩＦＦＴ処理を施し、ＣＰを付加した信号を、無線部６５に出力する。
【００７８】
無線部６５は、ＩＦＦＴ／ＣＰ部６４から出力された信号に対し、Ｄ／Ａ変換、アップコンバート、および信号増幅等の無線送信処理を行う。無線部６５は、無線送信処理した信号をアンテナ（図示せず）に出力する。
【００７９】
無線部６６は、アンテナ（図示せず）によって受信された信号に対し、信号増幅、ダウンコンバート、およびＡ／Ｄ変換等の無線受信処理を行う。無線部６６は、無線受信処理した信号を、ＦＦＴ／ＣＰ部６７に出力する。
【００８０】
ＦＦＴ／ＣＰ部６７は、無線部６６から出力された信号に対して、ＦＦＴ処理を施し、ＣＰを除去する。ＦＦＴ／ＣＰ部６７は、ＦＦＴ処理を施し、ＣＰを除去した信号を、デジタルＢＦ部６８に出力する。
【００８１】
デジタルＢＦ部６８は、ＦＦＴ／ＣＰ部６８から出力された信号に、ユーザ端末４ａ〜４ｃからフィードバックされたビーム識別情報５１ｂ（ＢＭＩ）に対応するＢＦウェイトを乗算する。デジタルＢＦ部６８は、ＢＦウェイトを乗算した信号を、送信部６９に出力する。
【００８２】
送信部６９は、デジタルＢＦ部６８から出力された信号を電気−光変換し、ＦＨＭ２を介して、ＣＵ１に送信する。
【００８３】
ＤＵ３ａ〜３ｃのビーム識別情報５１ｂの取得について説明する。
【００８４】
図７は、ＤＵ３ａ〜３ｃのビーム識別情報５１ｂの取得を説明する図である。図７には、図１に示したＦＨＭ２と、ＤＵ３ａ〜３ｂと、が示してある。また、図７には、図５に示したビーム情報５１が示してある。
【００８５】
ビーム情報５１は、図７の矢印Ａ１に示すように、ＣＵ１（図７には図示せず）から、ＦＨＭ２に送信される。そして、ビーム情報５１は、ＦＨＭ２でコピーされて、図７の矢印Ａ２に示すように、ＤＵ３ａ〜３ｃに送信される。
【００８６】
ＤＵ３ａ〜３ｃは、自機に割り当てられているＤＵ識別情報を、自身が備える記憶部（図６には図示せず）に記憶している。例えば、ＤＵ３ａは、自機のＤＵ識別情報「ＤＵ＃１」を、記憶部に記憶している。ＤＵ３ｂは、自機のＤＵ識別情報「ＤＵ＃２」を、記憶部に記憶している。ＤＵ３ｃは、自機のＤＵ識別情報「ＤＵ＃ｎ」を、記憶部に記憶している。
【００８７】
ＤＵ３ａ〜３ｃは、自機のＤＵ識別情報に基づいて、ＦＨＭ２から受信したビーム情報５１を参照し、自機のＤＵ識別情報に対応するビーム識別情報を取得する。
【００８８】
例えば、図７に示すビーム情報５２は、ＤＵ３ａがＦＨＭ２から受信したビーム情報５１の一部を示している。ＤＵ３ａのＤＵ識別情報は「ＤＵ＃１」であるので、ＤＵ３ａの制御部６２は、ビーム情報５２の太枠に示すビーム識別情報「ＢＭＩ１，ＢＭＩ２，ＢＭＩ３，ＢＭＩ４」を取得する。
【００８９】
また、例えば、図７に示すビーム情報５３は、ＤＵ３ｂがＦＨＭ２から受信したビーム情報５１の一部を示している。ＤＵ３ｂのＤＵ識別情報は「ＤＵ＃２」であるので、ＤＵ３ｂは、ビーム情報５３の太枠に示すビーム識別情報「ＢＭＩ５，ＢＭＩ６，ＢＭＩ７，ＢＭＩ８」を取得する。
【００９０】
また、例えば、図７に示すビーム情報５４は、ＤＵ３ｃがＦＨＭ２から受信したビーム情報５１の一部を示している。ＤＵ３ｃのＤＵ識別情報は「ＤＵ＃ｎ」であるので、ＤＵ３ｃは、ビーム情報５４の太枠に示すビーム識別情報「ＢＭＩｍ−３，ＢＭＩｍ−２，ＢＭＩｍ−１，ＢＭＩｍ」を取得する。このようにして、ＤＵ３ａ〜３ｂは、自機に割り当てられたユニークなビーム識別情報を取得する。なお、ＤＵ３ａ〜３ｂは、ＣＵ１から送信されたビーム情報５１を記憶部（図６には図示せず）に記憶する。
【００９１】
ＤＵ３ａ〜３ｃは、ユーザ端末４ａ〜４ｃに向ける最適なビームを探索するため、ビームを様々な方向に掃引する。このとき、ＤＵ３ａ〜３ｃは、ビーム情報５１から取得した、自機に割り当てられたビーム識別情報を、掃引するビームに含ませる。
【００９２】
図８は、ビームの掃引を説明する図である。図８において、図１と同じものには同じ符号が付してある。
【００９３】
ＤＵ３ａ〜３ｃは、ユーザ端末４ａ〜４ｃに向ける最適なビームを探索するとき、図８に示すように、様々な方向にビームを形成する。例えば、図８に示すビーム７１ａ〜７１ｄは、ＤＵ３ａが形成するビームを示している。ビーム７２ａ〜７２ｄは、ＤＵ３ｂが形成するビームを示している。ビーム７３ａ〜７３ｄは、ＤＵ３ｃが形成するビームを示している。
【００９４】
ＤＵ３ａ〜３ｃは、ビームを掃引するとき、自機に割り当てられたビーム識別情報をビームに含ませる。
【００９５】
例えば、ＤＵ３ａには、ビーム識別情報「ＢＭＩ１，ＢＭＩ２，ＢＭＩ３，ＢＭＩ４」が割り当てられている。従って、ＤＵ３ａの制御部６２は、掃引するビーム７１ａ〜７１ｄのそれぞれに、「ＢＭＩ１，ＢＭＩ２，ＢＭＩ３，ＢＭＩ４」を含める。例えば、ＤＵ３ａは、「ＢＭＩ１，ＢＭＩ２，ＢＭＩ３，ＢＭＩ４」のそれぞれに、ビーム７１ａ〜７１ｄを形成するＢＦウェイトのそれぞれを乗算する。
【００９６】
また、例えば、ＤＵ３ｂには、ビーム識別情報「ＢＭＩ５，ＢＭＩ６，ＢＭＩ７，ＢＭＩ８」が割り当てられている。従って、ＤＵ３ｂは、掃引するビーム７２ａ〜７２ｄのそれぞれに、「ＢＭＩ５，ＢＭＩ６，ＢＭＩ７，ＢＭＩ８」を含める。例えば、ＤＵ３ｂは、「ＢＭＩ５，ＢＭＩ６，ＢＭＩ７，ＢＭＩ８」のそれぞれに、ビーム７１ａ〜７１ｄを形成するＢＦウェイトのそれぞれを乗算する。
【００９７】
また、例えば、ＤＵ３ｃには、ビーム識別情報「ＢＭＩｍ−３，ＢＭＩｍ−２，ＢＭＩｍ−１，ＢＭＩｍ」が割り当てられている。従って、ＤＵ３ｃは、掃引するビーム７３ａ〜７３ｄのそれぞれに、「ＢＭＩｍ−３，ＢＭＩｍ−２，ＢＭＩｍ−１，ＢＭＩｍ」を含める。例えば、ＤＵ３ｂは、「ＢＭＩｍ−３，ＢＭＩｍ−２，ＢＭＩｍ−１，ＢＭＩｍ」のそれぞれに、ビーム７１ａ〜７１ｄを形成するＢＦウェイトのそれぞれを乗算する。このようにして、ＤＵ３ａ〜３ｃは、ビーム識別情報を含むビームを掃引する。
【００９８】
ユーザ端末４ａ〜４ｃは、ＤＵ３ａ〜３ｃから出力される、掃引されるビームを受信する。ユーザ端末４ａ〜４ｃは、受信したビームの中から、通信品質の最もよいビームのビーム識別情報（ＢＭＩ）を、ＣＵ１にフィードバックする。
【００９９】
図９は、ビーム識別情報のフィードバックを説明する図である。図９において、図８と同じものには同じ符号が付してある。
【０１００】
ユーザ端末４ａは、ＤＵ３ａから出力される、掃引されるビームを受信する。ユーザ端末４ａは、受信したビームのうち、ビーム識別情報「ＢＭＩ２」のビームの受信レベルが最も良かったとする。この場合、ユーザ端末４ａは、ビーム識別情報「ＢＭＩ２」を、図９の矢印Ａ１１に示すように、ＤＵ３ａおよびＦＨＭ２を介して、ＣＵ１にフィードバックする。より具体的には、ユーザ端末４ａは、ビーム識別情報「ＢＭＩ２」をＤＵ３ａに無線送信する。ＤＵ３ａの無線部６６は、ユーザ端末４ａから無線送信されたビーム識別情報「ＢＭＩ２」を受信する。ＤＵ３ａの送信部６９は、受信されたビーム識別情報「ＢＭＩ２」をＦＨＭ２に送信する。ＦＨＭ２は、ＤＵ３ａから受信したビーム識別情報「ＢＭＩ２」をＣＵ１に送信する。
【０１０１】
同様に、ユーザ端末４ｂは、ＤＵ３ｂから出力される、掃引されるビームを受信する。ユーザ端末４ｂは、受信したビームのうち、ビーム識別情報「ＢＭＩ７」のビームの受信レベルが最も良かったとする。この場合、ユーザ端末４ａは、ビーム識別情報「ＢＭＩ７」を、図９の矢印Ａ１２に示すように、ＤＵ３ｂおよびＦＨＭ２を介して、ＣＵ１にフィードバックする。
【０１０２】
また、同様に、ユーザ端末４ｃは、ＤＵ３ｃから出力される、掃引されるビームを受信する。ユーザ端末４ｃは、受信したビームのうち、ビーム識別情報「ＢＭＩｍ−２」のビームの受信レベルが最も良かったとする。この場合、ユーザ端末４ａは、ビーム識別情報「ＢＭＩｍ−２」を、図９の矢印Ａ１３に示すように、ＤＵ３ｃおよびＦＨＭ２を介して、ＣＵ１にフィードバックする。このようにして、ユーザ端末４ａ〜４ｂは、ビーム識別情報をＣＵ１にフィードバックする。
【０１０３】
ＤＵ３ａ〜ＤＵ３ｃのビームの掃引タイミングについて説明する。
【０１０４】
図１０は、ビームの掃引タイミングの例を説明する図である。ＤＵ３ａ〜ＤＵ３ｃは、互いのビームを掃引するタイミングが重ならないように、ビームを掃引する。
【０１０５】
例えば、図１０に示す送信タイミング８１は、ＤＵ３ａがビームを掃引するタイミングを示している。送信タイミング８２は、ＤＵ３ｂがビームを掃引するタイミングを示している。送信タイミング８３は、ＤＵ３ｃがビームを掃引するタイミングを示している。
【０１０６】
ＤＵ３ａは、送信タイミング８１に示すビーム掃引タイミング８１ａにおいて、ビーム識別情報「ＢＭＩ１」を含むビームを出力する。また、ＤＵ３ａは、送信タイミング８１に示すビーム掃引タイミング８１ｂにおいて、ビーム識別情報「ＢＭＩ２」を含むビームを出力する。また、ＤＵ３ａは、送信タイミング８１に示すビーム掃引タイミング８１ｃにおいて、ビーム識別情報「ＢＭＩ３」を含むビームを出力する。また、ＤＵ３ａは、送信タイミング８１に示すビーム掃引タイミング８１ｄにおいて、ビーム識別情報「ＢＭＩ４」を含むビームを出力する。
【０１０７】
同様に、ＤＵ３ｂは、送信タイミング８２に示すビーム掃引タイミング８２ａ〜８２ｄのそれぞれにおいて、ビーム識別情報「ＢＭＩ５，ＢＭＩ６，ＢＭＩ７，ＢＭＩ８」を含むビームを出力する。
【０１０８】
また、同様に、ＤＵ３ｃは、送信タイミング８３に示すビーム掃引タイミング８３ａ〜８３ｄのそれぞれにおいて、ビーム識別情報「ＢＭＩｍ−３，ＢＭＩｍ−２，ＢＭＩｍ−１，ＢＭＩｍ」を含むビームを出力する。このようにして、ＤＵ３ａ〜３ｃは、ビームを掃引する。
【０１０９】
なお、図９で説明したように、ユーザ端末４ａ〜４ｃは、ビーム識別情報をＣＵ１にフィードバックする。ユーザ端末４ａ〜４ｃは、図１０に示す送信タイミング８１〜８３とは別のタイミングで、ビーム識別情報をＣＵ１にフィーバックする。例えば、ＤＵ３ａ〜３ｃがビームを掃引するとき、各ビームの掃引タイミングは、ＢＭＩごとに異なる。従って、ユーザ端末４ａ〜４ｃは、ＤＵ３ａ〜３ｃがビームを掃引するとき、ＤＵ３ａ〜３ｃ（ＣＵ１）にアクセス（例えば、ランダムアクセス）するタイミングによって、通信品質のよいＢＭＩをフィードバックすることができる。
【０１１０】
また、記憶部３２に記憶されているビーム情報５１は、例えば、ＤＵ３ａ〜３ｃがビームを掃引するときに、ＤＵ３ａ〜３ｃに送信される。例えば、ビーム情報５１は、図１０に示すビーム掃引タイミング８１ａ，８２ａ，８３ａにおいて、送信される。
【０１１１】
ＣＵ１からユーザ端末４ａ〜４ｃへのデータ送信（ＤＬデータ信号の送信）について説明する。ＣＵ１は、ＤＵ３ａ〜３ｃの配下に存在しているユーザ端末４ａ〜４ｃにデータを送信するとき、送信するデータに、ユーザ端末４ａ〜４ｃからフィードバックされたビーム識別情報を含める。ビーム識別情報は、図５に示したように、ＤＵ３ａ〜３ｃにわたって、ユニークに割り当てられているので、ＦＨＭ２配下のＤＵ３ａ〜３ｃは、個別にビームフォーミング行って、データをユーザ端末４ａ〜４ｃに送信することができる。
【０１１２】
図１１は、ユーザ端末４ａ〜４ｃへのデータ送信例を説明する図である。図１１において、図１と同じものには同じ符号が付してある。
【０１１３】
ＣＵ１の制御部３１は、ユーザ端末４ａ〜４ｃにデータを送信する場合、ユーザ端末４ａ〜４ｃからフィードバックされたビーム識別情報をデータのヘッダに含め、ＦＨＭ２に送信する。
【０１１４】
例えば、ユーザ端末４ａからＣＵ１にフィードバックされたビーム識別情報を「ＢＭＩ２」とする。ユーザ端末４ｂからＣＵ１にフィードバックされたビーム識別情報を「ＢＭＩ７」とする。ユーザ端末４ｃからＣＵ１にフィードバックされたビーム識別情報を「ＢＭＩｍ−２」とする。この場合、ＣＵ１の制御部３１は、ユーザ端末４ａに送信するデータのヘッダにビーム識別情報「ＢＭＩ２」を含め、ＦＨＭ２に送信する。また、ＣＵ１の制御部３１は、ユーザ端末４ｂに送信するデータのヘッダにビーム識別情報「ＢＭＩ７」を含め、ＦＨＭ２に送信する。また、ＣＵ１の制御部３１は、ユーザ端末４ｃに送信するデータのヘッダにビーム識別情報「ＢＭＩｍ−２」を含め、ＦＨＭ２に送信する。
【０１１５】
ＦＨＭ２に送信されたデータは、ＦＨＭ２によってコピーされ、ＤＵ３ａ〜３ｃに送信される。ＤＵ３ａ〜３ｃは、ＣＵ１から送信されたビーム情報５１を受信（記憶）しているので、受信したデータのヘッダに、自機に割り当てられたビーム識別情報５１ｂが含まれていた場合、そのビーム識別情報５１ｂに対応したビームを形成し、データをユーザ端末４ａ〜４ｃに送信できる。
【０１１６】
例えば、ＤＵ３ａは、データのヘッダに含まれるデータ識別情報「ＢＭＩ２」から、「ＢＭＩ２」に対応した方向にビームを形成することができ、データをユーザ端末４ａに送信できる。また、ＤＵ３ｂは、データのヘッダに含まれるデータ識別情報「ＢＭＩ７」から、「ＢＭＩ７」に対応した方向にビームを形成することができ、データをユーザ端末４ｂに送信できる。また、ＤＵ３ｃは、データのヘッダに含まれるデータ識別情報「ＢＭＩｍ−２」から、「ＢＭＩｍ−２」に対応した方向にビームを形成することができ、データをユーザ端末４ｃに送信できる。このように、ＤＵ３ａ〜３ｃは、ＤＵ識別情報５１ａと対応付けられたユニークなビーム識別情報５１ｂによって、個別にビームの方向を制御することができる。
【０１１７】
以上説明したように、ユーザ端末４ａ〜４ｃと無線通信を行うＤＵ３ａ〜３ｃと、ＦＨＭ２を介して通信を行うＣＵ１は、ビーム情報５１を記憶する記憶部３２を有する。ビーム情報５１は、ＤＵ３ａ〜３ｃのＤＵ識別情報５１ａと、各ＤＵ３ａ〜３ｃが形成するビーム間で異なるように各ビームに割り当てられたビーム識別情報５１ｂと、が対応付けられた情報である。また、ＣＵ１の送信部３７は、記憶部５１に記憶されているビーム情報５１を、ＦＨＭ２を介してＤＵ３ａ〜３ｃに送信し、受信部３８は、ＤＵ３ａ〜３ｃがユーザ端末４ａ〜４ｃから受信した、通信品質の最も良いビームに割り当てられたビーム識別情報５１ｂを、ＦＨＭ２を介してＤＵ３ａ〜３ｃから受信する。これにより、ＣＵ１は、ＦＨＭ２配下のＤＵ３ａ〜３ｃのビーム方向を個別に制御できる。また、ＣＵ１は、ＦＨＭ２配下のＤＵ３ａ〜３ｃのビーム方向を個別に制御できるので、ＤＵ３ａ〜３ｃのそれぞれの配下に存在するユーザ端末４ａ〜４ｃに対して、フレキシブルにスケジューリングすることができる。
【０１１８】
また、ＦＨＭ２を介してＣＵ１と通信を行い、ユーザ端末４ａ〜４ｃと無線通信を行うＤＵ３ａ（３ｂ，３ｃ）の受信部６１は、ビーム情報５１を、ＦＨＭ２を介してＣＵ１から受信する。ＤＵ３ａの制御部６２は、受信部６１が受信したビーム情報から、自機のＤＵ識別情報に対応するビーム識別情報５１ｂを取得する。また、制御部６２は、取得したビーム識別情報５１ｂにより識別される各ビームを用いてビームの掃引を行って、ビーム識別情報５１ｂをユーザ端末４ａ〜４ｃに送信する。そして、ＤＵ３ａの無線部６６は、ユーザ端末４ａ〜４ｃから、通信品質の最も良いビームに割り当てられたビーム識別情報５１ｂを受信し、送信部６９は、無線部６６で受信されたビーム識別情報６１ｂを、ＦＨＭ２を介してＣＵ１に送信する。これにより、ＦＨＭ２配下のＤＵ３ａ〜３ｃは、個別にビーム方向を制御できる。
【０１１９】
なお、上記では、ＣＵ１は、ＤＵ３ａ〜３ｃがビームを掃引するとき、記憶部３２に記憶されているビーム情報５１をＤＵ３ａ〜３ｃに送信するとしたが、これに限られない。例えば、ＣＵ１は、記憶部３２にビーム情報５１が記憶されたとき、また、記憶部３２に記憶されているビーム情報５１が更新されたときに、ビーム情報５１をＤＵ３ａ〜３ｃに送信してもよい。この場合、ＤＵ３ａ〜３ｃは、ＣＵ１から送信されたビーム情報５１を、自身が備える記憶部に記憶する。そして、ＤＵ３ａ〜３ｃは、記憶部に記憶したビーム情報５１から、予め自機に割り当てられたビーム識別情報５１ｂを取得しておき、ビーム掃引するとき、予め取得していたビーム識別情報５１ｂをビームに含めるようにしてもよい。
【０１２０】
［第２の実施の形態］
第２の実施の形態では、ＦＨＭは、ビーム情報を利用し、ＵＬ信号とノイズの選別を行う。例えば、ＦＨＭは、ユーザ端末を配下にもつＤＵから送られてきた信号を合成し、ユーザ端末を配下に持たないＤＵから送られてきた信号（すなわちノイズ）を合成しないで、ＣＵに信号を送信する。
【０１２１】
図１２は、第２の実施の形態に係るＦＨＭ９０のブロック例を示した図である。図１２に示すように、ＦＨＭ９０は、受信部９１，９７と、制御部９２と、記憶部９３と、コピー部９４と、ディレイオフセット部９５，９９と、送信部９６，１０２と、ＩＦＦＴ部９８と、合成部１００と、ＦＦＴ部１０１と、を有している。ＦＨＭ９０は、例えば、図１に示したＣＵ１と、ＤＵ３ａ〜３ｃとの間に接続される。
【０１２２】
受信部９１は、ＣＵ１から送信される光信号を受信して光−電気変換し、制御部９２およびコピー部９４に出力する。
【０１２３】
制御部９２は、受信部９１によって受信された（ＣＵ１から送信された）ビーム情報を記憶部９３に記憶する。以下で詳述するが、制御部９２は、受信部９１によって受信された（ＣＵ１から送信された）ユーザ端末４ａ〜４ｃのスケジューリング情報に含まれるＵＬのビーム識別情報を用いて、記憶部９３に記憶したビーム情報を参照し、ＤＵ識別情報を取得する。そして、制御部９２は、取得したＤＵ識別情報に基づいて、ユーザ端末４ａ〜４ｃがどのＤＵ３ａ〜３ｃの配下に存在するか判定する。それから、制御部９２は、ユーザ端末４ａ〜４ｃがどのＤＵ３ａ〜３ｃの配下に存在するかの判定結果に基づいて、合成部１００に対し、ＤＵ３ａ〜３ｃから送信されたどのＵＬ信号を合成するか制御する。
【０１２４】
コピー部９４は、受信部９１が受信した信号をコピーする。例えば、コピー部９４は、ＤＵ３ａ〜３ｃ分、受信した信号をコピーする。コピー部９４は、コピーした信号をディレイオフセット部９５に出力する。
【０１２５】
ディレイオフセット部９５は、コピー部９４でコピーされた信号の遅延時間を調整する。例えば、ＤＵ３ａ〜３ｃは、設置場所によって、ＦＨＭ２との距離が異なり、信号の遅延時間（到達時間）が異なる。そこで、ディレイオフセット部９５は、信号の遅延時間の差を抑制するように信号の送信タイミングを調整する。ディレイオフセット部９５は、遅延時間を調整した信号を送信部９６に出力する。
【０１２６】
送信部９６は、ディレイオフセット部９５によって遅延時間が調整された信号を電気−光変換し、ＤＵ３ａ〜３ｃに送信する。
【０１２７】
受信部９７は、ＤＵ３ａ〜３ｃから送信される光信号を受信して光−電気変換し、ＩＦＦＴ部９８に出力する。
【０１２８】
ＩＦＦＴ部９８は、受信部９７から出力された信号に対し、ＩＦＦＴ処理を施す。ＩＦＦＴ部９８は、ＩＦＦＴ処理を施した信号をディレイオフセット部９９に出力する。
【０１２９】
ディレイオフセット部９９は、ＩＦＦＴ部９８から出力された信号の遅延時間を調整する。例えば、ＤＵ３ａ〜３ｃは、設置場所によって、ＦＨＭ２との距離が異なり、信号の遅延時間が異なる。そこで、ディレイオフセット部９９は、信号の遅延時間の差を解消するように信号の受信タイミングを調整する。ディレイオフセット部９９は、遅延時間を調整した信号を合成部１００に出力する。
【０１３０】
合成部１００は、ディレイオフセット部９９によって遅延時間が調整されたＤＵ３ａ〜３ｃの信号を合成する。このとき、合成部１００は、制御部９２の制御に応じて、合成する信号を判定する。合成部１００は、合成した信号を、ＦＦＴ部１０１に出力する。
【０１３１】
ＦＦＴ部１０１は、合成部１００から出力された信号に対し、ＦＦＴ処理を施す。ＦＦＴ部１０１は、ＦＦＴ処理を施した信号を、送信部１０２に出力する。
【０１３２】
送信部１０２は、ＦＦＴ部１０１によってＦＦＴ処理が施された信号を電気−光変換し、ＣＵ１に送信する。
【０１３３】
図１３は、ＦＨＭ２の信号合成例を説明する図である。図１３において、図１と同じものには同じ符号が付してある。
【０１３４】
図１３の例では、ＤＵ３ａは、ユーザ端末４ａから、矢印Ａ２１に示すＵＬ信号と、矢印Ａ２２に示すノイズとを受信する。ＤＵ３ｂは、ユーザ端末４ｂから、矢印Ａ２３に示すＵＬ信号を受信する。ＤＵ３ｃは、矢印Ａ２４に示すノイズを受信する。矢印Ａ２４に示すノイズは、例えば、ＤＵ３ｃの熱雑音である。または、矢印Ａ２４に示すノイズは、例えば、ユーザ端末４ｂの干渉ノイズである。
【０１３５】
ＤＵ３ａ〜ＤＵ３ｃによって受信されたＵＬ信号およびノイズは、ＦＨＭ２に送信される。ＦＨＭ２は、ＤＵ３ａ〜ＤＵ３ｃから受信したＵＬ信号およびノイズを合成し、ＣＵ１に送信する。
【０１３６】
例えば、図１３のＦＨＭ２とＣＵ１との間に示す４つの矢印Ａ３１は、ＤＵ３ａ〜３ｃの下方に示した矢印Ａ２１〜Ａ２４と対応している。ＦＨＭ２は、矢印Ａ３１に示すように、ＵＬ信号とノイズとを合成して、ＣＵ１に送信する。
【０１３７】
図１３の無線基地局において、ＤＵ３ａ〜３ｃを増加させると、ＣＵ１に送信されるＵＬのノイズが増加する可能性がある。そのため、図１３の無線基地局では、ＤＵ３ａ〜３ｃを増加させると、ＵＬエリアが縮退する可能性がある。
【０１３８】
図１４は、ＦＨＭ９０の信号合成例を説明する図である。図１４において、図１３と同じものには同じ符号が付してある。図１４では、図１３に対し、ＣＵ１とＤＵ３ａ〜３ｃとの間に、図１２で説明したＦＨＭ９０が接続されている。
【０１３９】
ＦＨＭ９０は、ユーザ端末４ａ，４ｂを配下に持つＤＵ３ａ，３ｂから送信される信号を合成し、ユーザ端末を配下に持たないＤＵ３ｃから送信される信号を合成しない。例えば、ＦＨＭ９０は、ＦＨＭ９０とＣＵ１との間の３つの矢印Ａ４１に示すように、ＤＵ３ａから受信したユーザ端末４ａの信号（矢印Ａ２１に示すＵＬ信号と、矢印Ａ２２に示すノイズ）と、ＤＵ３ｂから受信したユーザ端末４ｂの信号（矢印Ａ２３に示すＵＬ信号）とを合成し、ユーザ端末が配下に存在しないＤＵ３ｃから受信した信号（矢印Ａ２４に示すノイズ）を合成しない。
【０１４０】
上記の動作を具体的に説明する。ＦＨＭ９０の受信部９１は、ＣＵ１からＤＵ３ａ〜３ｃに送信されるビーム情報５１を受信する。制御部９２は、受信部９１によって受信されたビーム情報５１を記憶部９３に記憶する。
【０１４１】
また、ＦＨＭ９０の受信部９１は、ＣＵ１からユーザ端末４ａ，４ｂに送信されるスケジューリング情報を受信する。スケジューリング情報には、ユーザ端末４ａ，４ｂのＵＬ信号のスケジューリング情報が含まれている。ＵＬ信号のスケジューリング情報には、ユーザ端末４ａ，４ｂがＵＬ信号を送信するときのビーム識別情報５１ｂが含まれている。
【０１４２】
ＦＨＭ９０の記憶部９３には、ビーム情報５１が記憶されている。従って、ＦＨＭ９０の制御部９２は、ＵＬ信号のスケジューリング情報に含まれるビーム識別情報５１ｂに基づいて、記憶部９３に記憶されているビーム情報５１のビーム識別情報５１ｂを参照することにより、どのＤＵ３ａ〜３ｃにユーザ端末４ａ，４ｂが存在しているか特定できる。
【０１４３】
例えば、ＦＨＭ９０の記憶部９３には、図５に示したビーム情報５１が記憶されているとする。また、ＵＬ信号のスケジューリング情報に含まれるビーム識別情報５１ｂを「ＢＭＩ２，ＢＭＩ７」とする。
【０１４４】
この場合、制御部９２は、「ＢＭＩ２，ＢＭＩ７」に基づいて、記憶部９３に記憶されたビーム情報５１（図５を参照）を参照し、「ＢＭＩ２」に対応するＤＵ識別情報「ＤＵ＃１」と、「ＢＭＩ７」に対応するＤＵ識別情報「ＤＵ＃２」とを取得する。これにより、制御部９２は、ＤＵ識別情報「ＤＵ＃１」のＤＵ３ａと、ＤＵ識別情報「ＤＵ＃２」のＤＵ３ｂとの配下に、ユーザ端末が存在していると特定できる。
【０１４５】
ＦＨＭ９０の合成部１００は、ＤＵ３ａ〜ＤＵ３ｃから送られてくる信号を合成する。このとき、制御部９２は、配下にユーザ端末が存在すると特定したＤＵ３ａ，３ｂから送られてくる信号を合成し、配下にユーザ端末が存在しないと特定したＤＵ３ｃから送られてくる信号を合成しないように、合成部１００を制御する。これにより、ＦＨＭ９０は、例えば、ＤＵ３ｃから信号（ノイズ）を受信しても、ＤＵ３ｃの信号を合成してＣＵ１に送信しない。
【０１４６】
なお、ＣＵ１は、ユーザ端末４ａ，４ｂに対し、周波数ごとにスケジューリングすることができる。ＦＨＭ９０は、周波数ごとにスケジューリングされたユーザ端末の信号を選別するので、他のユーザ端末の信号に乗っている雑音は足し合されない。
【０１４７】
以上説明したように、ＣＵ１と、ＤＵ３ａ〜３ｃとの間の通信を中継するＦＨＭ２の受信部９１は、ビーム情報５１を、ＣＵ１から受信する。また、受信部９１は、ＤＵ３ａ〜３ｃと無線通信を行うユーザ端末４ａ〜４ｃのスケジューリング情報を、ＣＵ１から受信する。制御部９２は、受信部９１によって受信されたビーム情報５１から、スケジューリング情報に含まれるＵＬのビーム識別情報５１ｂに対応するＤＵ識別情報５１ａを取得し、取得したＤＵ識別情報５１ａから、ユーザ端末４ａ〜４ｃを配下に持つＤＵ３ａ〜３ｃを特定する。そして、合成部１００は、特定されたＤＵ３ａ〜３ｃから送信されるＵＬ信号を合成し、送信部１０２は、合成部１００で合成されたＵＬ信号をＣＵ１に送信する。これにより、ＦＨＭ９０は、ＣＵ１に送信するＵＬ信号のノイズを低減できる。また、ＦＨＭ９０は、ＤＵ３ａ〜３ｃが増加した場合でも、ＵＬエリアの縮退を抑制できる。
【０１４８】
［第３の実施の形態］
図１５は、第３の実施の形態に係る無線基地局の構成例を示した図である。図１５に示すように、無線基地局は、ＣＵ（Centralized Unit）２０１と、ＦＨＭ２０２と、ＤＵ（Distributed Unit）２０３ａ〜２０３ｃと、を有している。図１５には、ＤＵ２０３ａ〜２０３ｃと無線通信を行うユーザ端末２０４ａ〜２０４ｈも示してある。また、図１５には、受付装置２０５およびネットワーク２０６も示してある。図１５に示す無線基地局は、例えば、高度化Ｃ−ＲＡＮを形成している。
【０１４９】
ＣＵ２０１とＦＨＭ２０２は、例えば、光ファイバによって接続されている。ＦＨＭ２０２とＤＵ２０３ａ〜２０３ｃは、例えば、光ファイバによって接続されている。
【０１５０】
ＣＵ２０１は、コアネットワーク（図示せず）に接続されている。ＣＵ２０１は、コアネットワークから受信した信号（データ）をＦＨＭ２０２に送信する。また、ＣＵ２０１は、ＦＨＭ２０２から受信した信号をコアネットワークに送信する。ＣＵ２０１は、信号のベースバンド（以下、ＢＢと呼ぶことがある）処理およびＤＵ２０３ａ〜２０３ｃの保守監視処理等を行う。
【０１５１】
ＦＨＭ２０２は、ＣＵ２０１と複数のＤＵ２０３ａ〜２０３ｃとの間のフロントホール回線を多重する。例えば、ＦＨＭ２０２は、ＣＵ２０１から受信した信号をコピーしてＤＵ２０３ａ〜２０３ｃに送信する。また、ＦＨＭ２０２は、ＤＵ２０３ａ〜２０３ｃから受信した信号を合成してＣＵ２０１に送信する。
【０１５２】
以下で詳述するが、ＦＨＭ２０２は、スイッチを有している。スイッチは、ＣＵ２０１が備える複数のＢＢ処理装置（例えば、図１８および図１９を参照）と、ＤＵ２０３ａ〜２０３ｃとの間の接続を切替える（例えば、図１８および図１９に示すＦＨＭ２０２内の点線を参照）。
【０１５３】
ＤＵ２０３ａ〜２０３ｃは、ＦＨＭ２０２を介して、ＣＵ２０１から受信した信号をユーザ端末２０４ａ〜２０４ｈに送信する。また、ＤＵ２０３ａ〜２０３ｃは、ユーザ端末２０４ａ〜２０４ｈから受信した信号を、ＦＨＭ２０２を介してＣＵ２０１に送信する。
【０１５４】
ＤＵ２０３ａ〜２０３ｃは、例えば、数十から数百本のアンテナを有し、ユーザ端末２０４ａ〜２０４ｈと無線通信を行う。ＤＵ２０３ａ〜２０３ｃは、複数のアンテナを用いて、信号の振幅および位相を制御し、ユーザ端末２０４ａ〜２０４ｈに指向性を有するビームを形成して信号を送受信する。ＤＵ２０３ａ〜２０３ｃは、様々な方向にビームを形成することができる。
【０１５５】
受付装置２０５は、例えば、無線基地局の保守等を行うオペレータから、ＣＵ２０１が有している複数のＢＢ処理装置と、ＤＵ２０３ａ〜２０３ｃとをどのように接続するかの接続指示情報を受付ける。受付装置２０５は、オペレータから受付けた接続指示情報を、ネットワーク２０６を介して、ＦＨＭ２０２に送信する。ＦＨＭ２０２のスイッチは、受信した接続指示情報に基づいて、ＣＵ２０１の複数のＢＢ処理装置と、ＤＵ２０３ａ〜２０３ｃとを接続する。
【０１５６】
受付装置２０５は、例えば、パーソナルコンピュータ等の端末装置である。ネットワーク２０６は、例えば、ＬＡＮ（Local Area Network）またはインターネット等のネットワークである。
【０１５７】
なお、図１５の無線基地局は、高度化Ｃ−ＲＡＮを形成するとしたが、Ｃ−ＲＡＮを形成してもよい。また、図１５では、ＣＵ２０１の配下に１台のＦＨＭ２０２しか接続されていないが、複数のＦＨＭ２０２が接続されてもよい。
【０１５８】
また、ＣＵ２０１は、例えば、ＢＤＥ（Base station Digital processing Equipment）、ＢＢＵ（Base Band Unit）、無線制御装置、親局、または信号処理装置と呼ばれてもよい。また、ＤＵ２０３ａ〜２０３ｃは、例えば、ＳＲＥ（Low power Small optical remote Radio Equipment）、ＲＲＥ（Remote Radio Equipment）、ＲＲＨ（Remote Radio Head）、子局、または無線装置と呼ばれてもよい。
【０１５９】
無線ネットワークシステムを構築するとき、計画時における各セルのトラフィック量と、実際に無線ネットワークシステムを構築したときの各セルのトラフィック量とが異なる場合がある。以下、図１６および図１７を用いて、その例について説明する。
【０１６０】
図１６は、セルのトラフィック量の例を説明する図のその１である。図１６において、図１５と同じものには同じ符号が付してある。なお、図１６では、ＣＵ２０１とＤＵ２０３ｂ，２０３ｃとの間に、ＦＨＭ３０１が接続されている。また、図１６では、ＤＵ２０３ａは、セルＣ１を形成し、ＤＵ２０３ｂ，２０３ｃは、セルＣ２を形成している。
【０１６１】
ＣＵ２０１は、ＢＢ処理装置２１１，２１２を有している。ＢＢ処理装置２１１，２１２は、それぞれ異なるセルのベースバンド処理を行う。例えば、ＢＢ処理装置２１１は、セルＣ１のベースバンド処理を行い、ＢＢ処理装置２１２は、セルＣ２のベースバンド処理を行う。
【０１６２】
ＤＵ２０３ａは、ＢＢ処理装置２１１に接続されている。ＤＵ２０３ｂ，２０３ｃは、ＦＨＭ３０１を介して、ＢＢ処理装置２１２に接続されている。
【０１６３】
ＦＨＭ３０１は、ＢＢ処理装置２１２から出力されるＤＬ（Down Link）信号をコピーして、ＤＵ２０３ｂ，２０３ｃに送信する。また、ＦＨＭ３０１は、ＤＵ２０３ｂ，２０３ｃから出力されるＵＬ（Up Link）信号を多重して、ＢＢ処理装置２１２に送信する。これにより、ＣＵ２０１のＢＢ処理装置２１２は、複数のＤＵ２０３ｂ，２０３ｃを１セル（セルＣ２）として収容することができる。なお、ＦＨＭ３０１は、ＤＵ２０３ｂ，２０３ｃから送られてくる信号のうち、ＵＬ信号を含む信号を抽出して、ＢＢ処理装置２１２に送信する。
【０１６４】
無線ネットワークシステムを構築するとき、例えば、計画時において、各エリアのトラフィック量がシミュレーションされる。その結果、例えば、ＤＵ２０３ａのエリアでのトラフィック量は多く、ＤＵ２０３ｂ，２０３ｃのそれぞれのエリアでのトラフィック量は少なかったとする。
【０１６５】
この場合、図１６に示すように、トラフィック量の少ないＤＵ２０３ｂ，２０３ｃをＦＨＭ３０１で束ね、ＤＵ２０３ｂ，２０３ｃの２つエリアを、１つのセルＣ２でカバーする。言い換えれば、トラフィック量の少ないＤＵ２０３ｂ，２０３ｃの２つエリアを、１つのＢＢ処理装置２１２でカバーさせ、トラフィック量の多いＤＵ２０３ａの１つのエリアを、１つのＢＢ処理装置２１１でカバーさせる。これにより、ＢＢ処理装置２１１，２１２のトラフィック量を平準化（分散）させることができる。
【０１６６】
なお、次世代の無線ネットワークシステム（例えば、５Ｇ）では、無線周波数は、例えば、数ＧＨｚ〜数十ＧＨｚの高周波帯を利用することが検討されている。電波は、高周波化により、直進性が増し、ビル影等によってユーザ端末に届きにくくなる。そのため、次世代の無線ネットワークシステムでは、ＤＵを増やしてエリアをスモールエリア化し、ビームフォーミングにより、無線通信を行うことが検討されている。
【０１６７】
無線基地局は、このようなＤＵの増加に対し、ＦＨＭを用いることで、必要な無線容量が少ない場所でのスモールエリア化において、より多くのＤＵを１つのＢＢ処理装置に収容することが可能となる。例えば、無線基地局は、ＦＨＭ３０１を用いることで、ＤＵ２０３ｂ，２０３ｃを１つのＢＢ処理装置２１２に収容でき、少ない投資で、５Ｇのエリアを増やすことができる。
【０１６８】
図１７は、セルのトラフィック量の例を説明する図のその２である。図１７において、図１６と同じものには同じ符号が付してある。
【０１６９】
シミュレーションによる各セルのトラフィック量と、実際に無線ネットワークシステムを構築したときの各セルのトラフィック量とが異なる場合がある。例えば、シミュレーション時にはなかった建築物による伝搬環境の変化またはユーザ端末の実際の在圏数によって、シミュレーションによる各セルのトラフィック量と、実際に無線ネットワークシステムを構築したときの各セルのトラフィック量とが異なる場合がある。
【０１７０】
例えば、図１７に示すように、シミュレーション時になかったビル３０２が建造されたり、ＤＵ２０３ｃに在圏するユーザ端末２０４ｅ〜２０４ｈの数がシミュレーションで予想した数より多かったりすると、ＢＢ処理装置２１２のトラフィック量が増加する。なお、図１６に示したＤＵ２０３ｃには、２台のユーザ端末２０４ｇ，２０４ｈが在圏していたが、図１７のＤＵ２０３ｃには、４台のユーザ端末２０４ｅ〜２０４ｈが在圏している。また、図１６に示したＤＵ２０３ａには、４台のユーザ端末２０４ａ〜２０４ｄが在圏していたが、図１７のＤＵ２０３ａには、２台のユーザ端末２０４ａ，２０４ｂが在圏している。
【０１７１】
このように、シミュレーションによる各セルのトラフィック量と、実際に無線ネットワークシステムを構築したときの各セルのトラフィック量とが異なった場合、ＣＵ２０１、ＦＨＭ３０１、およびＤＵ２０３ａ〜２０３ｃ間の接続関係を変更する。そして、ＢＢ処理装置２１１のトラフィック量と、ＢＢ処理装置２１２のトラフィック量とを平準化させる。
【０１７２】
例えば、実際のトラフィック量が少なかった２台のＤＵ２０３ａ，２０３ｂを、ＦＨＭ３０１介して、ＢＢ処理装置２１１に接続する。すなわち、２台のＤＵ２０３ａ，２０３ｂをＦＨＭ３０１で束ね、ＢＢ処理装置２１１に接続する。また、実際のトラフィック量が多かった１台のＤＵ２０３ｃを、ＢＢ処理装置２１２に直接接続する。これにより、ＢＢ処理装置２１１のトラフィック量と、ＢＢ処理装置２１２のトラフィック量とを平準化させることができる。
【０１７３】
しかし、ＣＵ２０１、ＦＨＭ３０１、およびＤＵ２０３ａ〜２０３ｃ間の接続関係を変更するには、配線の挿抜が必要となり手間がかかる。そこで、図１５に示したＦＨＭ２０２は、ＢＢ処理装置２１１，２１２と、ＤＵ２０３ａ〜２０３ｃとの間の接続を切替えるスイッチを備える。
【０１７４】
図１８は、計画時のトラフィック量に基づいて、ＦＨＭ２０２のスイッチ２２３ｂが設定された無線基地局の構成例を示した図である。図１８において、図１７と同じものには同じ符号が付してある。なお、図１８では、図１７のＦＨＭ３０１が、図１５に示したＦＨＭ２０２となっている。また、図１８には、図１５に示した受付装置２０５およびネットワーク２０６が示してある。
【０１７５】
無線ネットワークシステムを構築する前のシミュレーションでは、ＤＵ２０３ａのエリアでのトラフィック量は多く、ＤＵ２０３ｂ，２０３ｃの各エリアでのトラフィック量は少なかったとする。
【０１７６】
この場合、ＦＨＭ２０２のスイッチ２２３ｂは、ＢＢ処理装置２１１，２１２のトラフィック量を平準化するよう、スイッチ２２３ｂ内の点線で示すように、ＢＢ処理装置２１１とＤＵ２０３ａとを接続し、ＢＢ処理装置２１２とＤＵ２０３ｂ，２０３ｃとを接続する。つまり、ＦＨＭ２０２のスイッチ２２３ｂは、トラフィック量が少ないとシミュレーションされた２つのエリアのＤＵ２０３ｂ，２０３ｃをＢＢ処理装置２１２に接続し、トラフィック量が多いとシミュレーションされた１つのエリアのＤＵ２０３ａをＢＢ処理装置２１１に接続して、無線ネットワークシステムを構築する。
【０１７７】
しかし、上記したように、シミュレーションによるトラフィック量と、実際のトラフィック量は、異なる場合がある。例えば、実際の無線ネットワークシステムでは、ＤＵ２０３ａのエリアのトラフィック量は少なく、ＤＵ２０３ｃのエリアのトラフィック量が多い場合がある。
【０１７８】
そこで、ＦＨＭ２０２のスイッチ２２３ｂは、受付装置２０５からの接続指示情報に基づいて、ＢＢ処理装置２１１，２１２と、ＤＵ２０３ａ〜２０３ｃとの間の接続を切替え、ＤＵ２０３ａ〜２０３ｃが形成するセルを変更する。そして、スイッチ２２３ｂは、ＢＢ処理装置２１１，２１２のトラフィック量を平準化させる。
【０１７９】
図１９は、ＦＨＭ２０２のスイッチ２２３ｂの接続が変更された無線基地局の構成例を示した図である。図１９において、図１８と同じものには同じ符号が付してある。
【０１８０】
上記したように、実際の無線ネットワークシステムでは、ＤＵ２０３ａのエリアのトラフィック量は少なく、ＤＵ２０３ｃのエリアのトラフィック量が多かったとする。この場合、オペレータは、受付装置２０５を用いて、ＢＢ処理装置２１１とＤＵ２０３ａ，２０３ｂとが接続されるように、接続指示情報をＦＨＭ２０２に送信する。また、オペレータは、ＢＢ処理装置２１２とＤＵ２０３ｃとが接続されるように、接続指示情報をＦＨＭ２０２に送信する。
【０１８１】
これにより、トラフィック量が少ない２台のＤＵ２０３ａ，２０３ｂは、図１９のスイッチ２２３ｂ内の点線で示すように、ＢＢ処理装置２１１に接続される。トラフィック量が多い１台のＤＵ２０３ｃは、ＢＢ処理装置２１２に接続される。このようにして、ＢＢ処理装置２１１，２１２のトラフィック量は平準化される。
【０１８２】
図２０は、ＦＨＭ２０２のブロック構成例を示した図である。図２０に示すように、ＦＨＭ２０２は、Ｉ／Ｆ部２２１，２２５と、コピー／合成部２２２ａ，２２２ｂと、制御部２２３ａと、スイッチ２２３ｂと、受信部２２４と、を有している。
【０１８３】
Ｉ／Ｆ部２２１は、例えば、光コネクタ等のコネクタである。Ｉ／Ｆ部２２１には、例えば、光ファイバを介して、ＣＵ２０１のＢＢ処理装置２１１，２１２が接続される。
【０１８４】
コピー／合成部２２２ａには、Ｉ／Ｆ部２２１を介して、ＢＢ処理装置２１１から出力された信号（ＤＬ信号）が入力される。コピー／合成部２２２ａは、ＢＢ処理装置２１１から出力された信号をコピーし、スイッチ２２３ｂの端子Ｔ２，Ｔ１２，Ｔ２２に出力する。
【０１８５】
コピー／合成部２２２ａには、スイッチ２２３ｂを介して、ＤＵ２０３ａ〜２０３ｃから出力された信号（ＵＬ信号）が入力される。コピー／合成部２２２ａは、スイッチ２２３ｂの端末Ｔ２，Ｔ１２，Ｔ２２から出力された信号を合成（多重）し、Ｉ／Ｆ部２２１に出力する。
【０１８６】
コピー／合成部２２２ｂには、Ｉ／Ｆ部２２１を介して、ＢＢ処理装置２１２から出力された信号（ＤＬ信号）が入力される。コピー／合成部２２２ｂは、ＢＢ処理装置２１２から出力された信号をコピーし、スイッチ２２３ｂの端子Ｔ３，Ｔ１３，Ｔ２３に出力する。
【０１８７】
コピー／合成部２２２ｂには、スイッチ２２３ｂを介して、ＤＵ２０３ａ〜２０３ｃから出力された信号（ＵＬ信号）が入力される。コピー／合成部２２２ｂは、スイッチ２２３ｂの端末Ｔ３，Ｔ１３，Ｔ２３から出力された信号を合成（多重）し、Ｉ／Ｆ部２２１に出力する。
【０１８８】
制御部２２３ａは、ＤＵ２０３ａ〜２０３ｃのそれぞれの接続先を、ＢＢ処理装置２１１，２１２のいずれか１つに決定する。例えば、制御部２２３ａは、後述する受信部２２４によって受信された接続先指示情報に基づいて、ＤＵ２０３ａ〜２０３ｃのそれぞれの接続先を、ＢＢ処理装置２１１，２１２のいずれか１つに決定する。
【０１８９】
スイッチ２２３ｂは、端子Ｔ１〜Ｔ３，Ｔ１１〜Ｔ１３，Ｔ２１〜Ｔ２３を有している。端子Ｔ１は、Ｉ／Ｆ部２２５を介して、ＤＵ２０３ａと接続されている。端子Ｔ１１は、Ｉ／Ｆ部２２５を介して、ＤＵ２０３ｂと接続されている。端子Ｔ２１は、Ｉ／Ｆ部２２５を介して、ＤＵ２０３ｃと接続されている。
【０１９０】
端子Ｔ２は、コピー／合成部２２２ａに接続されている。端子Ｔ３は、コピー／合成部２２２ｂに接続されている。端子Ｔ１２は、コピー／合成部２２２ａに接続されている。端子Ｔ１３は、コピー／合成部２２２ｂに接続されている。端子Ｔ２２は、コピー／合成部２２２ａに接続されている。端子Ｔ２３は、コピー／合成部２２２ｂに接続されている。
【０１９１】
端子Ｔ１は、制御部２２３ａの制御に応じて、端子Ｔ２，Ｔ３のいずれか１つに接続される。また、端子Ｔ１１は、制御部２２３ａの制御に応じて、端子Ｔ１２，Ｔ１３のいずれかに１つに接続される。また、端子Ｔ２１は、制御部２２３ａの制御に応じて、端子Ｔ２２，Ｔ２３のいずれかに１つに接続される。すなわち、スイッチ２２３ｂは、ＤＵ２０３ａ〜２０３ｃのそれぞれを、制御部２２３ａの制御に応じて、ＢＢ処理装置２１１，２１２のいずれか１つに切替え可能に接続する。
【０１９２】
受信部２２４は、ネットワーク２０６を介して、受付装置２０５に接続されている。受信部２２４は、受付装置２０５から送信される接続先指示情報を受信し、制御部２２３ａに出力する。
【０１９３】
接続先指示情報は、ＤＵ２０３ａ〜２０３ｃを、どのＢＢ処理装置２１１，２１２に接続するかを示す情報である。例えば、接続先指示情報が、ＤＵ２０３ａをＢＢ処理装置２１１に接続し、ＤＵ２０３ｂをＢＢ処理装置２１２に接続し、ＤＵ２０３ｃをＢＢ処理装置２１２に接続する、という情報であったとする。この場合、スイッチ２２３ｂは、図２０に示すように、端子Ｔ１〜Ｔ３を、端子Ｔ１１〜Ｔ１３，Ｔ２１〜Ｔ２３に接続する。
【０１９４】
Ｉ／Ｆ部２２５は、例えば、光コネクタ等のコネクタである。Ｉ／Ｆ部２２５には、例えば、光ファイバを介して、ＤＵ２０３ａ〜２０３ｃが接続される。
【０１９５】
なお、図２０では図示を省略しているが、ＦＨＭ２０２は、光信号を電気信号に変換する変換部、電気信号を光信号に変換する変換部等、を有している。また、ＦＨＭ２０２は、ＦＨＭ２０２と各ＤＵ２０３ａ〜２０３ｃとの間の信号伝達時間を調整するディレイオフセット部等を有している。
【０１９６】
ＦＨＭ２０２の動作例について説明する。無線ネットワークシステムの計画時におけるシミュレーションでは、ＤＵ２０３ａのエリアのトラフィック量が多く、ＤＵ２０３ｂ，２０３ｃのエリアのトラフィック量が少ないとする。この場合、スイッチ２２３ｂの端子Ｔ１を端子Ｔ２に接続し、端子Ｔ１１を端子Ｔ１３に接続し、端子Ｔ２１を端子Ｔ２３に接続して、無線ネットワークシステムを構築する。なお、無線ネットワークシステムを構築する際のスイッチ２２３ｂの接続は、受付装置２０５から制御してもよい。
【０１９７】
スイッチ２２３ｂの上記接続により、ＢＢ処理装置２１１とＤＵ２０３ａとが接続され、ＢＢ処理装置２１２とＤＵ２０３ｂ，２０３ｃとが接続される。従って、ＢＢ処理装置２１１は、トラフィック量が多いとシミュレーションされた１台のＤＵ２０３ａを収容し、ＢＢ処理装置２１２は、トラフィック量が少ないとシミュレーションされた２台のＤＵ２０３ｂ，２０３ｃを収容する。
【０１９８】
無線ネットワークシステムを実際に稼働させると、シミュレーション結果と異なり、ＤＵ２０３ａ，２０３ｂの各エリアのトラフィック量は少なく、ＤＵ２０３ｃのエリアのトラフィック量が多かったとする。
【０１９９】
この場合、オペレータは、受付装置２０５を操作して、ＤＵ２０３ｂがＢＢ処理装置２１１に接続されるよう、接続先指示情報を入力する。受付装置２０５に入力された接続先指示情報は、ＦＨＭ２０２の制御部２２３ａに送信される。
【０２００】
制御部２２３ａは、受付装置２０５から送信された接続先指示情報に基づいて、端子Ｔ１，Ｔ１１，Ｔ２１の接続先を制御する。上記例の場合、制御部２２３ａは、端子Ｔ１１を端子Ｔ１２に接続する。
【０２０１】
スイッチ２２３ｂの上記接続により、ＢＢ処理装置２１１とＤＵ２０３ａ，２０３ｂとが接続され、ＢＢ処理装置２１２とＤＵ２０３ｃとが接続される。従って、ＢＢ処理装置２１１は、トラフィック量の少ない２台のＤＵ２０３ａ，２０３ｂを収容し、ＢＢ処理装置２１２は、トラフィック量の多い１台のＤＵ２０３ｃを収容する。これにより、ＢＢ処理装置２１１，２１２のトラフィック量は、平準化される。
【０２０２】
以上説明したように、ＦＨＭ２０２のＩ／Ｆ部２２１には、それぞれが、異なるセルＣ１，Ｃ２のベースバンド処理を行う複数のＢＢ処理装置２１１，２１２が接続される。Ｉ／Ｆ部２２５には、ユーザ端末２０４ａ〜２０４ｈと無線通信を行う複数のＤＵ２０３ａ〜２０３ｃが接続される。制御部２２３ａは、Ｉ／Ｆ部２２５に接続されたＤＵ２０３ａ〜２０３ｃのそれぞれの接続先を、Ｉ／Ｆ部２２１に接続されたＢＢ処理装置２１１，２１２のいずれか１つに決定する。スイッチ２２３ｂは、制御部２２３ａの決定に基づいて、ＤＵ２０３ａ〜２０３ｃをＢＢ処理装置２１１，２１２に接続する。これにより、無線基地局は、配線の挿抜を行うことなく、複数の無線装置が形成するセルＣ１，Ｃ２を容易に変更できる。
【０２０３】
また、ＦＨＭ２０２は、ＤＵ２０３ａ〜２０３ｃの接続先指示を受付ける受付装置２０５から、ネットワーク２０６を介して、接続先指示情報を受信する受信部２２４を備える。制御部２２３ａは、受信部２２４によって受信された接続先指示情報に基づいて、ＤＵ２０３ａ〜２０３ｃのそれぞれを、ＢＢ処理装置２１１，２１２のいずれか１つに接続するよう接続先を決定する。これにより、オペレータは、遠隔操作によって、ＤＵ２０３ａ〜２０３ｃが形成するセルを容易に変更できる。
【０２０４】
また、容易に複数の無線装置が形成するセルＣ１，Ｃ２を変更できるので、容易にＢＢ処理装置２１１，２１２のトラフィック量の平準化を図ることができる。
【０２０５】
なお、上記では、１つのＣＵ２０１が、２つのＢＢ処理装置２１１，２１２を備えていたが、２つのＣＵがそれぞれ、１つのＢＢ処理装置を備えていてもよい。例えば、一方のＣＵがＢＢ処理装置２１１を備え、他方のＣＵがＢＢ処理装置２１２を備えていてもよい。また、ＢＢ処理装置の数は、上記例（２つ）に限られない。ＢＢ処理装置は、３つ以上存在していてもよい。また、ＤＵ２０３ａ〜２０３ｃも３つしか示していないが、４つ以上存在していてもよい。
【０２０６】
また、上記では、受付装置２０５が接続先指示情報を受付けたが、ＦＨＭ２０２が接続先指示情報を受付ける受付装置を有していてもよい。例えば、ＦＨＭ２０２は、接続先指示情報を受付けるキー入力装置を有していてもよい。
【０２０７】
また、コピー／合成部２２２ａ，２２２ｂの機能は、上記で説明した機能に限定されない。コピー／合成部２２２ａ，２２２ｂは、ＢＢ処理装置２１１，２１２に接続されたＤＵ２０３ａ〜２０３ｃに対し、ＤＬ信号をコピーし、また、ＵＬ信号を合成すればよい。例えば、コピー／合成部２２２ａは、ＢＢ処理装置２１１にＤＵ２０３ａ，２０３ｂが接続された場合、コピーしたＤＬ信号を、端子Ｔ２，Ｔ１２に出力すればよい。また、コピー／合成部２２２ａは、端子Ｔ２，Ｔ１２からのＵＬ信号を合成すればよい。
【０２０８】
また、上記では、受付装置２０５は、ネットワーク２０６を経由して、ＦＨＭ２０２と通信を行ったが、ＣＵ２０１を経由して、ＦＨＭ２０２と通信を行ってもよい。例えば、受付装置２０５は、接続先指示情報を、ＣＵ２０１を経由して、ＦＨＭ２０２に送信してもよい。
【０２０９】
［第４の実施の形態］
第３の実施の形態では、制御部２２３ａは、受付装置２０５が受付けた接続先指示情報に基づいて、ＢＢ処理装置２１１，２１２とＤＵ２０３ａ〜２０３ｃとの接続を切替えた。第４の実施の形態では、制御部は、ＤＵのそれぞれのトラフィック量に基づいて、ＢＢ処理装置とＤＵとの接続を切替える。以下では、第３の実施の形態と異なる部分について説明する。
【０２１０】
図２１は、第４の実施の形態に係る無線基地局の構成例を示した図である。図２１に示すように、無線基地局は、ＣＵ２３１と、ＦＨＭ２３２と、ＤＵ２３３ａ〜２３３ｃと、を有している。図２１には、ユーザ端末２０４ａ〜２０４ｇも示してある。
【０２１１】
ＣＵ２３１は、異なるセルのベースバンド処理を行うＢＢ処理装置２４１，２４２を有している。ＢＢ処理装置２４１，２４２は、ＦＨＭ２３２を介して接続されているＤＵごとのトラフィック量を計測する。
【０２１２】
例えば、ＢＢ処理装置２４１は、ＦＨＭ２３２内の点線で示すように、ＤＵ２３３ａ，２３３ｂに接続されているとする。ＢＢ処理装置２４２は、ＦＨＭ２３２内の点線で示すように、ＤＵ２３３ｃに接続されているとする。この場合、ＢＢ処理装置２４１は、ＤＵ２３３ａ，２３３ｂのそれぞれのトラフィック量を計測する。ＢＢ処理装置２４２は、ＤＵ２３３ｃのトラフィック量を計測する。
【０２１３】
ＢＢ処理装置２４１，２４２は、ＤＵ２３３ａ〜２３３ｃごとのトラフィック量をＦＨＭ２３２に送信する。ＦＨＭ２３２は、ＢＢ処理装置２４１，２４２から送信されたＤＵ２３３ａ〜２３３ｃごとのトラフィック量に基づいて、ＢＢ処理装置２４１，２４２とＤＵ２３３ａ〜２３３ｃとの接続を切替える。
【０２１４】
例えば、ＤＵ２３３ａのトラフィック量が多くなったとする。この場合、２台のＤＵ２３３ａ，２３３ｂが接続されているＢＢ処理装置２４１の負荷は、大きくなる。そこで、ＦＨＭ２３２は、ＤＵ２３３ｂをＢＢ処理装置２４２に接続するように切替える。これにより、ＤＵ２３３ａ〜２３３ｃが形成するセルが変更され、ＢＢ処理装置２４１，２４２のトラフィック量は、平準化される。
【０２１５】
図２２は、ＣＵ２３１のＢＢ処理装置２４１のブロック構成例を示した図である。図２２に示すように、ＢＢ処理装置２４１は、Ｉ／Ｆ部２５１，２５３と、ＢＢ処理部２５２と、制御部２５４と、記憶部２５５と、計測部２５６と、を有している。
【０２１６】
Ｉ／Ｆ部２５１は、コアネットワークに接続された上位装置（図２１には図示せず）と通信を行う。例えば、Ｉ／Ｆ部２５１は、上位装置からデータを受信し、ＢＢ処理部２５２に出力する。また、Ｉ／Ｆ部２５１は、ＢＢ処理部２５２から出力されるデータを上位装置に送信する。
【０２１７】
ＢＢ処理部２５２は、Ｉ／Ｆ部２５１から出力される信号（ＤＬ信号）のＢＢ処理を行う。例えば、ＢＢ処理部２５２は、Ｉ／Ｆ部２５１から出力される信号の符号化、変調、プリコーディング、スケジューリング、およびマッピング等を行う。ＢＢ処理部２５２は、ＢＢ処理したＤＬ信号を、Ｉ／Ｆ部２５３に出力する。
【０２１８】
また、ＢＢ処理部２５２は、Ｉ／Ｆ部２５３から出力される信号（ＵＬ信号）のＢＢ処理を行う。例えば、ＢＢ処理部２５２は、Ｉ／Ｆ部２５３から出力される信号のデマッピング、チャネル推定、復調、および復号等を行う。ＢＢ処理部２５２は、ＢＢ処理したＵＬ信号を、Ｉ／Ｆ部２５１に出力する。
【０２１９】
また、ＢＢ処理部２５２は、制御部２５４から出力されるビーム情報（以下で説明する）を、Ｉ／Ｆ部２５３を介して、ＦＨＭ２３２に送信する。例えば、ＢＢ処理部２５２は、制御部２５４から出力されるビーム情報をＤＬ信号に含め、ＦＨＭ２３２に送信する。または、ＢＢ処理部２５２は、制御部２５４から出力されるビーム情報を、例えば、ＤＵを保守または監視する信号に含め、ＦＨＭ２３２に送信する。なお、ＦＨＭ２３２に送信されたビーム情報は、ＢＢ処理装置２４１に接続されているＤＵに送信される。
【０２２０】
また、ＢＢ処理部２５２は、計測部２５６から出力されるトラフィック量（以下で説明する）を、Ｉ／Ｆ部２５３を介して、ＦＨＭ２３２に送信する。例えば、ＢＢ処理部２５２は、計測部２５６から出力されるトラフィック量をＤＬ信号に含め、ＦＨＭ２３２に送信する。または、ＢＢ処理部２５２は、計測部２５６から出力されるビーム情報を、例えば、ＤＵを保守または監視する信号に含め、ＦＨＭ２３２に送信する。
【０２２１】
Ｉ／Ｆ部２５３は、ＢＢ処理部２５２から出力される信号を電気−光変換し、光ファイバに出力（ＦＨＭ２３２に送信）する。また、Ｉ／Ｆ部２５３は、光ファイバから（ＦＨＭ２３２から）受信した光信号を光−電気変換し、ＢＢ処理部２５２に出力する。
【０２２２】
制御部２５４は、記憶部２５５に記憶されているビーム情報をＢＢ処理部２５２に出力する。
【０２２３】
記憶部２５５には、ＤＵ２３３ａ〜２３３ｃが形成するビームの方向を識別するビーム情報が記憶されている。ビーム情報は、例えば、予め記憶部２５５に記憶されている。ビーム情報は、例えば、ＦＨＭ２３２に新たなＤＵが接続されたとき、または、ＤＵが交換されたとき、更新される。ビーム情報は、例えば、上位装置から送信され、記憶部２５５に記憶されてもよい。
【０２２４】
図２３は、記憶部２５５に記憶されるビーム情報２５５ａのデータ構成例を示した図である。図２３に示すように、ビーム情報２５５ａは、ＤＵ識別情報２５５ａａと、ビーム識別情報２５５ａｂと、有している。
【０２２５】
ＤＵ識別情報２５５ａａは、ＦＨＭ２３２に接続されているＤＵ２３３ａ〜２３３ｃを識別するユニークな識別情報である。例えば、図２３に示す「ＤＵ＃１」は、図２１に示したＤＵ２３３ａに付与された識別子であり、「ＤＵ＃２」は、ＤＵ２３３ｂに付与された識別子である。また、図２３に示す「ＤＵ＃ｎ」は、例えば、ＤＵ２３３ｃに付与された識別子である。なお、図２１の例では、ＤＵは、３台しか示していない。従って、この場合、記憶部２５５には、「ＤＵ＃１」、「ＤＵ＃２」、「ＤＵ＃ｎ」の３つのＤＵ識別情報が記憶されることになる。
【０２２６】
ビーム識別情報２５５ａｂは、各ＤＵ２３３ａ〜２３３ｃが形成するビームの方向を識別する識別情報であり、各ＤＵ２３３ａ〜２３３ｃが形成するビーム間で異なるように、各ビームに割り当てられる。言い換えれば、ビーム識別情報２５５ａｂは、複数のＤＵ２３３ａ〜２３３ｃ（ＤＵ識別情報２５５ａａ）にわたり、ユニークな情報となっている。ビーム識別情報２５５ａｂは、ＤＵ識別情報２５５ａａのそれぞれに対して、少なくとも１つ以上対応付けられ、記憶部２５５に記憶される。
【０２２７】
例えば、図２３に示すビーム識別情報２５５ａｂの「ＢＭＩ１〜ＢＭＩ４」は、ＤＵ識別情報２５５ａａの「ＤＵ＃１」に対応付けられ、ビーム識別情報２５５ａｂの「ＢＭＩ５〜ＢＭＩ８」は、ＤＵ識別情報２５５ａａの「ＤＵ＃２」に対応付けられている。また、例えば、図２３に示すビーム識別情報２５５ａｂの「ＢＭＩｍ−３〜ＢＭＩｍ」は、ＤＵ識別情報２５５ａａの「ＤＵ＃ｎ」に対応付けられている。そして、ビーム識別情報２５５ａｂの「ＢＭＩ１，ＢＭＩ２，…，ＢＭＩｍ−１，ＢＭＩｍ」は、ＤＵ識別情報２５５ａａの「ＤＵ＃１〜ＤＵ＃ｎ」にわたり、ユニークな情報となっている。
【０２２８】
なお、図２３では、ＤＵ識別情報２５５ａａのそれぞれに対し、４つのビーム識別情報２５５ａｂが対応付けられているが、これに限られない。例えば、ＤＵ識別情報２５５ａａに対応付けられるビーム識別情報２５５ａｂの数は、ＤＵ２３３ａ〜２３３ｃが形成できるビームの方向の数に依存してもよい。
【０２２９】
図２２の説明に戻る。計測部２５６は、ＢＢ処理部２５２でＢＢ処理されるＤＬ信号の、ＤＵごとのトラフィック量を計測する。例えば、図２１のＦＨＭ２３２内の点線で示すように、ＢＢ処理装置２４１にＤＵ２３３ａ，２３３ｂが接続されている場合、計測部２５６は、ＤＵ２３３ａのトラフィック量と、ＤＵ２３３ｂのトラフィック量とを計測する。計測部２５６は、以下で詳述する。
【０２３０】
なお、ＢＢ処理装置２４２も、図２２に示したブロックと同様のブロックを有する。ただし、ＢＢ処理装置２４２の計測部は、ＢＢ処理装置２４２に接続されている各ＤＵのトラフィック量を計測する。例えば、図２１のＦＨＭ２３２内の点線で示すように、ＢＢ処理装置２４２にＤＵ２３３ｃが接続されている場合、ＢＢ処理装置２４２の計測部は、ＤＵ２３３ｃのトラフィック量を計測する。
【０２３１】
また、ＢＢ処理装置２４２の記憶部には、ＢＢ処理装置２４１の記憶部２５５と同様のビーム情報（図２３のビーム情報２５５ａ）が記憶されている。すなわち、ＢＢ処理装置２４２の記憶部には、ＦＨＭ２３２に接続されているＤＵ２３３ａ〜２３３ｃのＤＵ識別情報と、ＤＵ２３３ａ〜２３３ｃが形成するビームの方向を識別するユニークなビーム識別情報とが対応付けて記憶されている。
【０２３２】
図２４は、ＦＨＭ２３２のブロック構成例を示した図である。図２４において、図２０と同じものには同じ符号が付してある。図２４では、図２０に対し、受信部２６１と、制御部２６２ａと、スイッチ２６２ｂと、を有している。
【０２３３】
受信部２６１は、ＢＢ処理装置２４１，２４２から送信されるＤＵ２３３ａ〜２３３ｃごとのトラフィック量を受信する。受信部２６１は、受信したＤＵ２３３ａ〜２３３ｃごとのトラフィック量を、制御部２６２ａに出力する。
【０２３４】
制御部２６２ａは、ＤＵ２３３ａ〜２３３ｃごとのトラフィック量に基づいて、ＤＵ２３３ａ〜２３３ｃのそれぞれの接続先を、ＢＢ処理装置２４１，２４２のいずれか１つに決定する。
【０２３５】
図２２のＢＢ処理装置２４１の計測部２５６について詳述する。まず、図２５〜図２８を用いて、ＢＭＩを用いたビームフォーミングによるデータ通信を説明し、その後図２９を用いて、計測部２５６のＤＵごとのトラフィック量の計測を説明する。
【０２３６】
図２５は、ＦＨＭ２３２およびＤＵ２３３ａ〜２３３ｃのビーム識別情報２５５ａｂの取得を説明する図である。図２５には、図２１に示したＦＨＭ２３２と、ＤＵ２３３ａ〜２３３ｃと、が示してある。また、図２５には、ＢＢ処理装置２４１，２４２が有する、図２３に示したビーム情報２５５ａが示してある。
【０２３７】
ビーム情報２５５ａは、図２５の矢印Ａ２０１ａに示すように、ＢＢ処理装置２４１から、ＦＨＭ２３２に送信される。ＦＨＭ２３２に送信されたビーム情報２５５ａは、ＦＨＭ２３２でコピーされて、図２５の矢印Ａ２０２に示すように、ＤＵ２３３ａ，２３３ｂに送信される。
【０２３８】
また、ビーム情報２５５ａは、図２５の矢印Ａ２０１ｂに示すように、ＢＢ処理装置２４２から、ＦＨＭ２３２に送信される。ＦＨＭ２３２に送信されたビーム情報２５５ａは、ＦＨＭ２３２を介して、図２５の矢印Ａ２０３に示すように、ＤＵ２３３ｃに送信される。
【０２３９】
ＤＵ２３３ａ〜２３３ｃは、自機に割り当てられているＤＵ識別情報を、自身が備える記憶部に記憶している。例えば、ＤＵ２３３ａは、自機のＤＵ識別情報「ＤＵ＃１」を、記憶部に記憶している。ＤＵ２３３ｂは、自機のＤＵ識別情報「ＤＵ＃２」を、記憶部に記憶している。ＤＵ２３３ｃは、自機のＤＵ識別情報「ＤＵ＃ｎ」を、記憶部に記憶している。
【０２４０】
ＤＵ２３３ａ〜２３３ｃは、自機のＤＵ識別情報に基づいて、ＦＨＭ２３２から受信したビーム情報２５５ａを参照し、自機のＤＵ識別情報に対応するビーム識別情報を取得する。
【０２４１】
例えば、図２５に示すビーム情報２５５ｂは、ＤＵ２３３ａがＦＨＭ２３２から受信したビーム情報２５５ａの一部を示している。ＤＵ２３３ａのＤＵ識別情報は「ＤＵ＃１」であるので、ＤＵ２３３ａは、ビーム情報２５５ｂの太枠に示すビーム識別情報「ＢＭＩ１，ＢＭＩ２，ＢＭＩ３，ＢＭＩ４」を取得する。
【０２４２】
また、例えば、図２５に示すビーム情報２５５ｃは、ＤＵ２３３ｂがＦＨＭ２３２から受信したビーム情報２５５ａの一部を示している。ＤＵ２３３ｂのＤＵ識別情報は「ＤＵ＃２」であるので、ＤＵ２３３ｂは、ビーム情報２５５ｃの太枠に示すビーム識別情報「ＢＭＩ５，ＢＭＩ６，ＢＭＩ７，ＢＭＩ８」を取得する。
【０２４３】
また、例えば、図２５に示すビーム情報２５５ｄは、ＤＵ２３３ｃがＦＨＭ２０２から受信したビーム情報２５５ａの一部を示している。ＤＵ２３３ｃのＤＵ識別情報は「ＤＵ＃ｎ」であるので、ＤＵ２３３ｃは、ビーム情報２５５ｄの太枠に示すビーム識別情報「ＢＭＩｍ−３，ＢＭＩｍ−２，ＢＭＩｍ−１，ＢＭＩｍ」を取得する。このようにして、ＤＵ２３３ａ〜２３３ｃは、自機に割り当てられたユニークなビーム識別情報を取得する。なお、ＤＵ２３３ａ〜２３３ｃは、ＢＢ処理装置２４１，２４２から送信されたビーム情報２５５ａを記憶部に記憶する。
【０２４４】
ＤＵ２３３ａ〜２３３ｃは、ユーザ端末２０４ａ〜２０４ｈに向ける最適なビームを探索するため、ビームを様々な方向に掃引する。このとき、ＤＵ２３３ａ〜２３３ｃは、ビーム情報２５５ａから取得した、自機に割り当てられたビーム識別情報を、掃引するビームに含ませる。
【０２４５】
図２６は、ビームの掃引を説明する図である。図２６において、図２１と同じものには同じ符号が付してある。
【０２４６】
ＤＵ２３３ａ〜２３３ｃは、ユーザ端末２０４ａ〜２０４ｈに向ける最適なビームを探索するとき、図２６に示すように、様々な方向にビームを形成する。例えば、図２６に示すビーム２６６ａ〜２６６ｄは、ＤＵ２３３ａが形成するビームを示している。ビーム２６７ａ〜２６７ｄは、ＤＵ２３３ｂが形成するビームを示している。ビーム２６８ａ〜２６８ｄは、ＤＵ２３３ｃが形成するビームを示している。
【０２４７】
ＤＵ２３３ａ〜２３３ｃは、ビームを掃引するとき、自機に割り当てられたビーム識別情報をビームに含ませる。
【０２４８】
例えば、ＤＵ２３３ａには、ビーム識別情報「ＢＭＩ１，ＢＭＩ２，ＢＭＩ３，ＢＭＩ４」が割り当てられている（図２５のビーム情報２５５ｂを参照）。従って、ＤＵ２３３ａは、掃引するビーム２６６ａ〜２６６ｄのそれぞれに、「ＢＭＩ１，ＢＭＩ２，ＢＭＩ３，ＢＭＩ４」を含める。例えば、ＤＵ２３３ａは、「ＢＭＩ１，ＢＭＩ２，ＢＭＩ３，ＢＭＩ４」のそれぞれに、ビーム２６６ａ〜２６６ｄを形成するＢＦウェイトのそれぞれを乗算する。
【０２４９】
また、例えば、ＤＵ２３３ｂには、ビーム識別情報「ＢＭＩ５，ＢＭＩ６，ＢＭＩ７，ＢＭＩ８」が割り当てられている（図２５のビーム情報２５５ｃを参照）。従って、ＤＵ２３３ｂは、掃引するビーム２６７ａ〜２６７ｄのそれぞれに、「ＢＭＩ５，ＢＭＩ６，ＢＭＩ７，ＢＭＩ８」を含める。例えば、ＤＵ２３３ｂは、「ＢＭＩ５，ＢＭＩ６，ＢＭＩ７，ＢＭＩ８」のそれぞれに、ビーム２６７ａ〜２６７ｄを形成するＢＦウェイトのそれぞれを乗算する。
【０２５０】
また、例えば、ＤＵ２３３ｃには、ビーム識別情報「ＢＭＩｍ−３，ＢＭＩｍ−２，ＢＭＩｍ−１，ＢＭＩｍ」が割り当てられている（図２５のビーム情報２５５ｄを参照）。従って、ＤＵ２３３ｃは、掃引するビーム２６８ａ〜２６８ｄのそれぞれに、「ＢＭＩｍ−３，ＢＭＩｍ−２，ＢＭＩｍ−１，ＢＭＩｍ」を含める。例えば、ＤＵ２３３ｃは、「ＢＭＩｍ−３，ＢＭＩｍ−２，ＢＭＩｍ−１，ＢＭＩｍ」のそれぞれに、ビーム２６８ａ〜２６８ｄを形成するＢＦウェイトのそれぞれを乗算する。このようにして、ＤＵ２３３ａ〜２３３ｃは、ビーム識別情報を含むビームを掃引する。
【０２５１】
ユーザ端末２０４ａ〜２０４ｈは、ＤＵ２３３ａ〜２３３ｃから出力される、掃引されるビームを受信する。ユーザ端末２０４ａ〜２０４ｈは、受信したビームの中から、通信品質の最もよいビームのビーム識別情報（ＢＭＩ）を、ＢＢ処理装置２４１，２４２にフィードバックする。
【０２５２】
図２７は、ビーム識別情報のフィードバックを説明する図である。図２７において、図２１と同じものには同じ符号が付してある。なお、図２７では、説明を簡単にするため、一部のユーザ端末２０４ａ，２０４ｄ，２０４ｇだけを示している。
【０２５３】
ユーザ端末２０４ａは、ＤＵ２３３ａから出力される、掃引されるビームを受信する。ユーザ端末２０４ａは、受信したビームのうち、ビーム識別情報「ＢＭＩ２」のビームの受信レベルが最も良かったとする。この場合、ユーザ端末２０４ａは、ビーム識別情報「ＢＭＩ２」を、図２７の矢印Ａ２１１に示すように、ＤＵ２３３ａおよびＦＨＭ２３２を介して、ＢＢ処理装置２４１にフィードバックする。
【０２５４】
同様に、ユーザ端末２０４ｄは、ＤＵ２３３ｂから出力される、掃引されるビームを受信する。ユーザ端末２０４ｄは、受信したビームのうち、ビーム識別情報「ＢＭＩ７」のビームの受信レベルが最も良かったとする。この場合、ユーザ端末２０４ｄは、ビーム識別情報「ＢＭＩ７」を、図２７の矢印Ａ２１２に示すように、ＤＵ２３３ｂおよびＦＨＭ２３２を介して、ＢＢ処理装置２４１にフィードバックする。
【０２５５】
また、同様に、ユーザ端末２０４ｇは、ＤＵ２３３ｃから出力される、掃引されるビームを受信する。ユーザ端末２０４ｇは、受信したビームのうち、ビーム識別情報「ＢＭＩｍ−２」のビームの受信レベルが最も良かったとする。この場合、ユーザ端末２０４ｇは、ビーム識別情報「ＢＭＩｍ−２」を、図２７の矢印Ａ２１３に示すように、ＤＵ２３３ｃおよびＦＨＭ２３２を介して、ＢＢ処理装置２４２にフィードバックする。このようにして、ユーザ端末２０４ａ，２０４ｄ，２０４ｇは、ビーム識別情報をＢＢ処理装置２４１，２４２にフィードバックする。
【０２５６】
ＢＢ処理装置２４１，２４２は、ＤＵ２３３ａ〜２３３ｃの配下に存在しているユーザ端末２０４ａ〜２０４ｈにデータを送信するとき、送信するデータに、ユーザ端末２０４ａ〜２０４ｈからフィードバックされたビーム識別情報を含める。ビーム識別情報は、図２３に示したように、ＤＵ２３３ａ〜２３３ｃにわたって、ユニークに割り当てられているので、ＦＨＭ２３２配下のＤＵ２３３ａ〜２３３ｃは、個別にビームフォーミング行って、データをユーザ端末２０４ａ〜２０４ｈに送信することができる。
【０２５７】
図２８は、ユーザ端末へのデータ送信例を説明する図である。図２８において、図２７と同じものには同じ符号が付してある。
【０２５８】
ＢＢ処理装置２４１は、ユーザ端末２０４ａ，２０４ｄにデータ（ＤＬ信号）を送信する場合、ユーザ端末２０４ａ，２０４ｄからフィードバックされたビーム識別情報をデータのヘッダに含め、ＦＨＭ２３２に送信する。
【０２５９】
例えば、ユーザ端末２０４ａからＢＢ処理装置２４１にフィードバックされたビーム識別情報を「ＢＭＩ２」とする。ユーザ端末２０４ｄからＢＢ処理装置２４１にフィードバックされたビーム識別情報を「ＢＭＩ７」とする。この場合、ＢＢ処理装置２４１は、ユーザ端末２０４ａに送信するデータのヘッダにビーム識別情報「ＢＭＩ２」を含め、ＦＨＭ２３２に送信する。また、ＢＢ処理装置２４１は、ユーザ端末２０４ｄに送信するデータのヘッダにビーム識別情報「ＢＭＩ７」を含め、ＦＨＭ２３２に送信する。
【０２６０】
ＦＨＭ２３２に送信されたデータは、ＦＨＭ２３２によってコピーされ、ＤＵ２３３ａ，２３３ｂに送信される。ＤＵ２３３ａ，２３３ｂは、ＢＢ処理装置２４１から送信されたビーム情報２５５ａを受信（記憶）しているので、受信したデータのヘッダに、自機に割り当てられたビーム識別情報２５５ａｂが含まれていた場合、そのビーム識別情報２５５ａｂに対応したビームを形成し、データをユーザ端末２０４ａ，２０４ｄに送信できる。
【０２６１】
例えば、ＤＵ２３３ａは、データのヘッダに含まれるデータ識別情報「ＢＭＩ２」から、「ＢＭＩ２」に対応した方向にビームを形成することができ、データをユーザ端末２０４ａに送信できる。また、ＤＵ２３３ｂは、データのヘッダに含まれるデータ識別情報「ＢＭＩ７」から、「ＢＭＩ７」に対応した方向にビームを形成することができ、データをユーザ端末２０４ｂに送信できる。
【０２６２】
同様に、ＤＵ２３３ｃも、データのヘッダに含まれるデータ識別情報「ＢＭＩｍ−２」から、「ＢＭＩｍ−２」に対応した方向にビームを形成することができ、データをユーザ端末２０４ｂに送信できる。このように、ＤＵ２３３ａ〜２３３ｃは、ＤＵ識別情報２５５ａａと対応付けられたユニークなビーム識別情報２５５ａｂによって、個別にビームの方向を制御することができる。
【０２６３】
上記したように、ＢＢ処理装置２４１，２４２は、ビーム情報２５５ａを記憶した記憶部２５５を有しており、ユーザ端末２０４ａ〜２０４ｈがどのＤＵ２３３ａ〜２３３ｃに在圏しているか判定することができる。そして、ＢＢ処理装置２４１，２４２は、ユーザ端末２０４ａ〜２０４ｈごとのＤＬのデータバッファを有しており、ユーザ端末２０４ａ〜２０４ｈごとのトラフィック量を取得できる。これから、ＢＢ処理装置２４１，２４２は、ＤＵ２３３ａ〜２３３ｃごとのトラフィック量を計測できる。
【０２６４】
図２９は、ＤＵ２０３ａ〜２０３ｃごとのトラフィック量の計測を説明する図である。図２９において、図２１と同じものには同じ符号が付してある。なお、図２９には、ユーザ端末ＵＥ１〜ＵＥ８が示してある。ユーザ端末ＵＥ１〜ＵＥ８は、図２９に示すＢＭＩのビームによって、ＤＵ２３３ａ〜２３３ｃと無線通信を行っている。
【０２６５】
ユーザ端末ＵＥ１〜ＵＥ６は、ＢＢ処理装置２４１が形成するセルＣ１に在圏している。ユーザ端末ＵＥ１〜ＵＥ４は、ＤＵ２３３ａに在圏し、ユーザ端末ＵＥ５，ＵＥ６は、ＤＵ２３３ｂに在圏している。
【０２６６】
ユーザ端末ＵＥ７，ＵＥ８は、ＢＢ処理装置２４２が形成するセルＣ２に在圏している。ユーザ端末ＵＥ７，ＵＥ８は、ＤＵ２３３ｃに在圏している。
【０２６７】
図２９に示すデータバッファｂｕｆｆ１〜ｂｕｆｆ６は、ＢＢ処理装置２４１が有するデータバッファを示している。データバッファｂｕｆｆ１〜ｂｕｆｆ６のそれぞれには、ユーザ端末ＵＥ１〜ＵＥ６に送信されるＤＬ信号が一時的に記憶される。データバッファｂｕｆｆ１〜ｂｕｆｆ６に一時的に記憶されるデータ量は、ユーザ端末ＵＥ１〜ＵＥ６のトラフィック量に相当する。なお、データバッファｂｕｆｆ１〜ｂｕｆｆ６に示す斜線は、データバッファｂｕｆｆ１〜ｂｕｆｆ６に一時的に記憶されているＤＬ信号を示している。
【０２６８】
また、図２９に示すデータバッファｂｕｆｆ１１，ｂｕｆｆ１２は、ＢＢ処理装置２４２が有するデータバッファを示している。データバッファｂｕｆｆ１１，ｂｕｆｆ１２のそれぞれには、ユーザ端末ＵＥ７，ＵＥ８に送信されるＤＬ信号が一時的に記憶される。データバッファｂｕｆｆ１１，ｂｕｆｆ１２に一時的に記憶されるデータ量は、ユーザ端末ＵＥ７，ＵＥ８のトラフィック量に相当する。なお、データバッファｂｕｆｆ１１，ｂｕｆｆ１２に示す斜線は、データバッファｂｕｆｆ１１，ｂｕｆｆ１２に一時的に記憶されているＤＬ信号を示している。
【０２６９】
ＢＢ処理装置２４１の計測部２５６は、データバッファｂｕｆｆ１〜ｂｕｆｆ６を参照して、ユーザ端末ＵＥ１〜ＵＥ６のＤＬ信号のトラフィック量を計測する。
【０２７０】
例えば、図２９のデータバッファｂｕｆｆ１〜ｂｕｆｆ６に示す「ｄ１〜ｄ６」は、ユーザ端末ＵＥ１〜ＵＥ６のトラフィック量を示している。この場合、計測部２５６は、ユーザ端末ＵＥ１のトラフィック量として「ｄ１」を計測する。計測部２５６は、ユーザ端末ＵＥ２のトラフィック量として「ｄ２」を計測する。以下、同様にして、計測部２５６は、ユーザ端末ＵＥ３〜ＵＥ６のトラフィック量として「ｄ３」、「ｄ４」、「ｄ５」、「ｄ６」を計測する。ＢＢ処理装置２４２の計測部も、計測部２５６と同様にして、ユーザ端末ＵＥ７，ＵＥ８のトラフィック量「ｄ７」、「ｄ８」を計測する。
【０２７１】
ＢＢ処理装置２４１は、図２３で説明したように、ビーム情報２５５ａを記憶した記憶部２５５を有している。従って、ＢＢ処理装置２４１は、ユーザ端末ＵＥ１〜ＵＥ６のＢＭＩを用いて記憶部２５５を参照することにより、ユーザ端末ＵＥ１〜ＵＥ６がどのＤＵ２３３ａ，ＤＵ２３３ｂに在圏しているかを判定することができる。なお、ユーザ端末ＵＥ１〜ＵＥ６のＢＭＩは、図２７で説明したように、ＢＢ処理装置２４１にフィードバックされており、ＢＢ処理装置２４１は、ユーザ端末ＵＥ１〜ＵＥ６のＢＭＩを判定することができる。
【０２７２】
例えば、計測部２５６は、「ＢＭＩ１」のユーザ端末ＵＥ１はＤＵ識別情報「ＤＵ＃１」のＤＵ２３３ａに在圏していると判定できる。また、例えば、計測部２５６は、「ＢＭＩ６」のユーザ端末ＵＥ６はＤＵ識別情報「ＤＵ＃２」のＤＵ２３３ｂに在圏していると判定できる。
【０２７３】
このように、計測部２５６は、ユーザ端末ＵＥ１〜ＵＥ６のトラフィック量を計測し、かつ、トラフィック量を計測したユーザ端末ＵＥ１〜ＵＥ６が、どのＤＵ２３３ａ，２３３ｂに在圏しているかを判定できる。これにより、計測部２５６は、ＤＵ２３３ａ，ＤＵ２３３ｂごとのトラフィック量を算出できる。
【０２７４】
例えば、ユーザ端末ＵＥ１〜４は、ＤＵ２３３ａに在圏している。従って、計測部２５６は、ユーザ端末ＵＥ１〜ＵＥ４のトラフィック量「ｄ１」、「ｄ２」、「ｄ３」、「ｄ４」を加算することにより、ＤＵ２３３ａのトラフィック量「ＤＵ＃１＿ｄ＝ｄ１＋ｄ２＋ｄ３＋ｄ４」を算出できる。また、計測部２５６は、ユーザ端末ＵＥ５，ＵＥ６のトラフィック量「ｄ５」、「ｄ６」を加算することにより、ＤＵ２３３ｂのトラフィック量「ＤＵ＃２＿ｄ＝ｄ５＋ｄ６」を算出できる。
【０２７５】
ＢＢ処理装置２４２の計測部も同様に、ＤＵごとのトラフィック量を計測できる（図２９の例では、ＤＵは１台しか接続されていないが、ＤＵごとのトラフィック量を計測できる）。ＢＢ処理装置２４２の計測部が計測するＤＵ２３３ｃのトラフィック量は「ＤＵ＃ｎ＿ｄ＝ｄ７＋ｄ８」となる。以上のようにして、ＢＢ処理装置２４１の計測部２５６と、ＢＢ処理装置の計測部は、ＤＵ２３３ａ〜２３３ｃごとのトラフィック量を計測する。
【０２７６】
図２４のスイッチ２６２ｂの切替え例について説明する。ＢＢ処理装置２４１，２４２の計測部によって計測されたＤＵ２３３ａ〜２３３ｃごとのトラフィック量は、ＦＨＭ２３２に送信される。ＦＨＭ２３２の受信部２６１は、ＢＢ処理装置２４１，２４２から送信されたＤＵ２３３ａ〜２３３ｃごとのトラフィック量を受信する。
【０２７７】
制御部２６２ａは、受信部２６１によって受信されたＤＵ２３３ａ〜２３３ｃごとのトラフィック量に基づいて、ＢＢ処理装置２４１，２４２のトラフィック量を平準化するように、スイッチ２６２ｂを切替える。
【０２７８】
例えば、ＢＢ処理装置２４１に接続されているＤＵ２３３ａのトラフィック量「ＤＵ＃１＿ｄ」が閾値を超えたとする。この場合、制御部２６２ａは、ＢＢ処理装置２４１に接続されている他のＤＵ２３３ｂを、ＢＢ処理装置２４２に接続するようにスイッチ２６２ｂを切替える。例えば、制御部２６２ａは、図２４の端子Ｔ１１が、端子Ｔ１３に接続されるように、スイッチ２６２ｂを切替える。これにより、ＢＢ処理装置２４１のトラフィック量は軽減され、ＢＢ処理装置２４１，２４２のトラフィック量は平準化される。
【０２７９】
なお、制御部２６２ａが、端子Ｔ１１を端子Ｔ１３に接続すると、ＤＵ２３３ｂに在圏しているユーザ端末は、掃引されたビームのＢＭＩをＢＢ処理装置２４２にフィードバックすることになる。これにより、ＢＢ処理装置２４２は、記憶部に記憶しているビーム情報により、ユーザ端末がどのＤＵ２３３ｂ，２３３ｃに在圏しているかを判定することができる。つまり、ＢＢ処理装置２４２は、スイッチ２６２ｂがスイッチを切替えても、ＤＵ２３３ｂ，２３３ｃごとのトラフィック量を計測できる。
【０２８０】
以上説明したように、ＦＨＭ２３２の受信部２６１は、ＢＢ処理装置２４１，２４２から無線装置ＤＵ２３３ａ〜２３３ｃごとのトラフィック量を受信する。制御部２６２ａは、受信部２６１が受信したＤＵ２３３ａ〜２３３ｃごとのトラフィック量に基づいて、ＤＵ２３３ａ〜２３３ｃのそれぞれの接続先を、ＢＢ処理装置２４１，２４２のいずれか１つに決定する。これにより、ＦＨＭ２３２は、ＢＢ処理装置２４１，２４２の平準化を図るように、ＢＢ処理装置２４１，２４２とＤＵ２３３ａ〜２３３ｃとを接続することができる。
【０２８１】
［変形例１］
あるＢＢ処理装置Ｘに接続されている複数のＤＵ（例えば、３台以上とする）のうち、あるＤＵ＃Ｙのトラフィック量が閾値を超えたとする。この場合、ＦＨＭの制御部は、ＢＢ処理装置Ｘに接続されている、閾値を超えていない他のＤＵのうち、最もトラフィック量の多いＤＵを、他のＢＢ処理装置に接続するようにしてもよい。これにより、ＢＢ処理装置Ｘのトラフィック量を大幅に低減することが可能になる。
【０２８２】
［変形例２］
あるＢＢ処理装置Ｘに接続されている複数のＤＵのうち（例えば、３台以上とする）、あるＤＵ＃Ｙのトラフィック量が閾値を超えたとする。この場合、ＦＨＭの制御部は、ＢＢ処理装置Ｘ以外の他のＢＢ処理装置のうち、最もトラフィック量の少ないＢＢ処理装置に、ＢＢ処理装置Ｘに接続されているＤＵ＃Ｙの次にトラフィック量が多いＤＵ＃Ｚを接続するようにしてもよい。これにより、トラフィック量をより平準化することが可能になる。
【０２８３】
［変形例３］
ＦＨＭの制御部は、あるＢＢ処理装置Ｘの合計トラフィック量（ＢＢ処理装置Ｘに接続されている全てのＤＵのトラフィック量を合計した値）が閾値を超えた場合に、ＢＢ処理装置Ｘに接続されているＤＵを、他のＢＢ処理装置に接続するようにしてもよい。例えば、制御部は、ＢＢ処理装置Ｘに接続されている複数のＤＵの中から、最もトラフィック量の小さいＤＵを選択し、他のＢＢ処理装置に接続する。制御部は、ＢＢ処理装置Ｘのトラフィック量が閾値以下となるまで、最もトラフィック量の小さいＤＵの選択を繰り返し、ＢＢ処理装置２４２に接続する。
【０２８４】
［変形例４］
上記では、ＤＬについて説明したが、制御部は、ＵＬ信号に基づいて、ＢＢ処理装置とＤＵとの接続を切替えてもよい。例えば、ＢＢ処理装置は、ユーザ端末から送信されるBuffer Status Reportに基づいて、ユーザ端末ごとの残りのデータ量（トラフィック量に相当）を算出する。ＢＢ処理装置は、ＤＬの場合と同様に、ユーザ端末のＵＬのトラフィック量と、ユーザ端末に割り当てられたＢＭＩとに基づいて、ＤＵごとのトラフィック量を算出する。
【０２８５】
［変形例５］
制御部は、ＤＬとＵＬのトラフィック量に基づいて、ＢＢ処理装置とＤＵとの接続を切替えてもよい。例えば、ＤＬのトラフィック量とＵＬのトラフィック量とを加算したトラフィック量から、ＢＢ処理装置とＤＵとの接続を切替えてもよい。その際、制御部は、ＤＬのトラフィック量とＵＬのトラフィック量とに重み付を付加してもよい。
【０２８６】
例えば、制御部は、ＤＵごとにおいて、「ＤＬトラフィック量×係数Ａ１＋ＵＬトラフィック量×係数Ａ２」を算出し、ＢＢ処理装置とＤＵとの接続を切替えてもよい。ＤＬのトラフィック量に重点を置いてＢＢ処理装置とＤＵとの接続を切替えたい場合、「係数Ａ１＞係数Ａ２」とする。逆にＵＬのトラフィック量に重点を置いてＢＢ処理装置とＤＵとの接続を切替えたい場合、「係数Ａ１＜係数Ａ２」とする。
【０２８７】
［変形例６］
上記では、ＢＢ処理装置がトラフィック量を計測したが、ＦＨＭ（例えば、ＦＨＭが備える計測部）がＤＵごとのトラフィック量を計測してもよい。例えば、図２５で説明したように、ビーム情報は、ＢＢ処理装置から、ＦＨＭを経由してＤＵに送信されるので、ＦＨＭは、例えば、図２３に示したビーム情報２５５ａを受信して記憶部に記憶することができる。また、ＦＨＭは、ＢＢ処理装置から、ユーザ端末ごとのデータバッファの情報（ユーザ端末ごとのトラフィック量）を受信する。また、ＦＨＭは、ＢＢ処理装置から、ユーザ端末がフィードバックしたＢＭＩを受信する。
【０２８８】
ＦＨＭは、ＢＢ処理装置から受信したユーザ端末のＢＭＩに基づいて、記憶部に記憶したビーム情報を参照し、ユーザ端末がどのＤＵに在圏しているか判断できる。これにより、ＦＨＭは、ＤＵごとに、ＤＵに在圏しているユーザ端末のトラフィック量を加算することにより、ＤＵごとのトラフィック量を計測できる。
【０２８９】
［変形例７］
ＤＵごとのトラフィック量を計測したＢＢ処理装置またはＦＨＭは、第３の実施の形態で説明した受付装置２０５に計測したトラフィック量を送信してもよい。受付装置２０５は、例えば、受信したトラフィック量をディスプレイに表示する。これにより、オペレータは、ディスプレイに表示されたトラフィック量に基づいて、ＢＢ処理装置とＤＵとの間の接続を、適切に設定することが可能となる。
【０２９０】
［変形例８］
上記では、ビーム識別情報は、ＦＨＭ２３２に接続されるＤＵ２３３ａ〜２３３ｃにわたり、ユニークであるとしたがこれに限られない。ビーム識別情報は、ＢＢ処理装置２４１，２４２に接続されるＤＵごとにおいて、ユニークであってもよい。
【０２９１】
例えば、図２５において、ＤＵ２３３ａ，２３３ｂは、ＢＢ処理装置２４１に接続されている。ＤＵ２３３ｃは、ＢＢ処理装置２４２に接続されている。この場合、ビーム識別情報は、ＤＵ２３３ａ，２３３ｂにおいてユニークであり、ＤＵ２３３ｃにおいてユニークであってもよい。より具体的には、ＤＵ２３３ａのビーム識別情報は、「ＢＭＩ１，ＢＭＩ２，ＢＭＩ３，ＢＭＩ４」、ＤＵ２３３ｂのビーム識別情報は、「ＢＭＩ５，ＢＭＩ６，ＢＭＩ７，ＢＭＩ８」、ＤＵ２３３ｃのビーム識別情報は、「ＢＭＩ１，ＢＭＩ２，ＢＭＩ３，ＢＭＩ４」であってもよい。
【０２９２】
このように、ビーム識別情報を、ＢＢ処理装置２４１，２４２に接続されるＤＵごとにおいて、ユニークにする場合、ＢＢ処理装置２４１，２４２は、ＦＨＭ２３２のスイッチが切り替わった後、ビーム識別情報を割り当て直す。ＢＢ処理装置２４１，２４２は、スイッチ切替え後に接続されたＤＵにおいて、ビーム識別情報がユニークとなるように割り当て直す。
【０２９３】
例えば、図２５において、ＦＨＭ２３２のスイッチの切替えにより、ＢＢ処理装置２４１にＤＵ２３３ｂが接続され、ＢＢ処理装置２４２にＤＵ２３３ａ，２３３ｃが接続されたとする。この場合、ＢＢ処理装置２４１は、ＤＵ２３３ｂのビーム識別情報を「ＢＭＩ１，ＢＭＩ２，ＢＭＩ３，ＢＭＩ４」に設定し直す。ＢＢ処理装置２４２は、ＤＵ２３３ａのビーム識別情報を「ＢＭＩ１，ＢＭＩ２，ＢＭＩ３，ＢＭＩ４」に設定し直し、ＤＵ２３３ｃのビーム識別情報を「ＢＭＩ５，ＢＭＩ６，ＢＭＩ７，ＢＭＩ８」に設定し直す。
【０２９４】
なお、上記の各変形例は、組わせることもできる。
【０２９５】
［第５の実施の形態］
第４の実施の形態では、ＦＨＭは、ＤＵごとのトラフィック量に基づいて、ＢＢ処理装置とＤＵとの接続を切替えた。第５の実施の形態では、ＦＨＭは、ＢＢ処理装置の故障に基づいて、ＢＢ処理装置とＤＵとの接続を切替える。例えば、ＦＨＭは、あるＢＢ処理装置が故障した場合、故障したＢＢ処理装置に接続されていたＤＵを、正常なＢＢ処理装置に接続する。
【０２９６】
図３０は、第５の実施の形態に係るＦＨＭ２７１のブロック構成例を示した図である。図３０において、図２４と同じものには同じ符号が付してある。図３０に示すように、ＦＨＭ２７１は、故障検知部２８１と、制御部２８２ａと、スイッチ２８２ｂと、を有している。ＦＨＭ２７１のＩ／Ｆ部２２１には、図２１に示したＢＢ処理装置２４１，２４２が接続され、Ｉ／Ｆ部２２５には、図２１に示したＤＵ２３３ａ〜２３３ｃが接続されている。
【０２９７】
故障検知部２８１は、ＢＢ処理装置２４１，２４２の故障を検知する。例えば、故障検知部２８１は、ＢＢ処理装置２４１，２４２から送信されるＤＬ信号の有無を監視することによって、ＢＢ処理装置２４１，２４２の故障を検知する。または、故障検知部２８１は、例えば、故障診断機能を有するＢＢ処理装置２４１，２４２から、故障診断情報を受信し、ＢＢ処理装置２４１，２４２の故障を検知してもよい。
【０２９８】
故障検知部２８１は、ＢＢ処理装置２４１，２４２が故障していないときに（ＢＢ処理装置２４１，２４２の正常時に）、ＢＢ処理装置２４１，２４２に接続されているＤＵ２３３ａ〜２３３ｃの接続情報を、ＢＢ処理装置２４１，２４２に送信する。例えば、図３０に示すスイッチ２８２ｂの状態では、ＢＢ処理装置２４１には、ＤＵ２３３ａ，２３３ｂが接続され、ＢＢ処理装置２４２には、ＤＵ２３３ｃが接続されている。従って、故障検知部２８１は、ＢＢ処理装置２４１にはＤＵ２３３ａ，２３３ｂが接続され、ＢＢ処理装置２４２にはＤＵ２３３ｃが接続されていることを示す接続情報を、ＢＢ処理装置２４１，２４２に送信する。
【０２９９】
故障検知部２８１は、ＢＢ処理装置２４１，２４２の故障を検知すると、ＢＢ処理装置２４１，２４２が故障したことを示す故障情報を、故障していないＢＢ処理装置２４１，２４２に送信する。例えば、ＢＢ処理装置２４１が故障したとする。この場合、故障検知部２８１は、ＢＢ処理装置２４１が故障したことを示す故障情報を、故障していないＢＢ処理装置２４２に送信する。また、故障検知部２８１は、検知した故障情報を、制御部２８２ａに出力する。
【０３００】
制御部２８２ａは、故障検知部２８１が故障情報をＢＢ処理装置２４１，２４２に送信した後、スイッチ２８２ｂを制御し、故障したＢＢ処理装置２４１，２４２に接続されていたＤＵ２３３ａ〜２３３ｃを、故障していないＢＢ処理装置２４１，２４２に接続する。例えば、図３０に示すスイッチ状態において、ＢＢ処理装置２４１が故障したとする。この場合、制御部２８２ａは、端子Ｔ１を端子Ｔ３に接続し、端子Ｔ１１を端子Ｔ１３に接続する。これにより、故障したＢＢ処理装置２４１に接続されていたＤＵ２３３ａ，２３３ｂは、正常なＢＢ処理装置２４２に接続される。
【０３０１】
ＦＨＭ２７１の動作について説明する。
【０３０２】
図３１は、ＢＢ処理装置２４１，２４２の一方が故障したときの無線基地局の動作例を説明する図である。図３１には、図３０で説明したＦＨＭ２７１と、ＦＨＭ２７１に接続されているＢＢ処理装置２４１，２４２およびＤＵ２３３ａ〜２３３ｃとが示してある。
【０３０３】
ＦＨＭ２７１のスイッチ２８２ｂは、図３０に示す状態にあるとする。すなわち、ＤＵ２３３ａ，２３３ｂは、ＢＢ処理装置２４１に接続され、ＤＵ２３３ｃは、ＢＢ処理装置２４２に接続されているとする。故障検知部２８１は、ＢＢ処理装置２４１，２４２の接続情報（ＤＵ２３３ａ，２３３ｂはＢＢ処理装置２４１に接続され、ＤＵ２３３ｃはＢＢ処理装置２４２に接続されていることを示す情報）を、ＢＢ処理装置２４１，２４２に送信しているとする。
【０３０４】
ＢＢ処理装置２４１が故障したとする。この場合、故障検知部２８１は、ＢＢ処理装置２４１の故障を検知する（図３１のＳ１）。
【０３０５】
故障検知部２８１は、ＢＢ処理装置２４１の故障を検知すると、ＢＢ処理装置２４１が故障したことを示す故障情報を、故障していないＢＢ処理装置２４２に送信する（図３１のＳ２）。
【０３０６】
ＢＢ処理装置２４２は、ＦＨＭ２３２から受信した故障情報に基づいて、自身が新たに管理するＤＵを認識する。例えば、ＢＢ処理装置２４２は、事前に（ＢＢ処理装置２４１の故障前に）ＢＢ処理装置２４１の接続情報（ＢＢ処理装置２４１は、ＤＵ２３３ａ，２３３ｂと接続されていることを示す情報）を受信している。従って、ＢＢ処理装置２４２は、ＢＢ処理装置２４１が故障したことを示す故障情報を受信した場合、故障したＢＢ処理装置２４１に接続されていたＤＵ２３３ａ，２３３ｂが、新たに接続されることを認識できる（図３１のＳ３）。これにより、ＢＢ処理装置２４２は、例えば、ＤＵ２３３ａ，２３３ｂに在圏するユーザ端末のスケジューリングを行うことができる。
【０３０７】
ＦＨＭ２７１の制御部２８２ａは、故障検知部２８１の故障情報に基づいて、故障したＢＢ処理装置２４１に接続されていたＤＵ２３３ａ，２３３ｂが、ＢＢ処理装置２４２に接続されるように、スイッチ２８２ｂを切替える（図３１のＳ４）。これにより、ＤＵ２３３ａ，２３３ｂに在圏していたユーザ端末は、ＢＢ処理装置２４２と無線通信を行うことができる。
【０３０８】
以上説明したように、ＦＨＭ２７１は、ＢＢ処理装置２４１，２４２の故障を検知する故障検知部２８１を備える。制御部２８２ａは、故障検知部２８１の故障の検知結果に基づいて、故障したＢＢ処理装置２４１，２４２に接続されているＤＵ２３３ａ〜２３３ｃを、故障していないＢＢ処理装置２４１，２４２に接続するよう決定する。これにより、故障したＢＢ処理装置２４１，２４２と通信を行っていたユーザ端末は、ＢＢ処理装置２４１，２４２が故障しても、別の故障していないＢＢ処理装置２４１，２４２と通信を行うことができる。
【０３０９】
また、ＦＨＭ２７１は、簡易な構成および処理により、ＢＢ処理装置２４１，２４２が故障しても、無線通信を行うことができなくなるユーザ端末を救済することができる。例えば、ＢＢ処理装置２４１，２４２とＤＵ２３３ａ〜２３３ｃとを直接接続する場合、無線通信を行うことができなくなるユーザ端末を救済するには、メッシュ状に接続する必要があり、配線が複雑化する。また、ＢＢ処理装置２４１，２４２とＤＵ２３３ａ〜２３３ｃとが、ユーザ端末を救済するためのアルゴリズムを備えなければならない。これに対し、ＦＨＭ２７１を備える無線基地局は、簡易な構成および処理により、無線通信を行うことができなくなるユーザ端末を救済することができる。
【０３１０】
なお、故障検知部２８１は、故障情報の代りに、または故障情報とともに、故障したＢＢ処理装置２４１，２４２が処理（管理）していたＢＭＩを、故障していないＢＢ処理装置２４１に送信してもよい。故障してないＢＢ処理装置２４２は、受信したＢＭＩに基づいてビーム情報を参照することにより、新たに接続されるＤＵ２３３ａ〜２３３ｃを認識することができる。
【０３１１】
［第６の実施の形態］
ＦＨＭの配下には、上記の各実施の形態で説明したように、複数のビームを形成するＤＵが接続される場合と、ビームを形成しない（ビームを持たない）ＤＵが接続される場合とがある。第２の実施の形態では、複数のビームを形成するＤＵにおける、ＦＨＭのＵＬ信号とノイズとの選別について説明した。第６の実施の形態では、ビームを持たないＤＵにおける、ＦＨＭのＵＬ信号とノイズとの選別について説明する。
【０３１２】
以下では、第２の実施の形態と異なる部分について説明する。なお、図１２に示したＦＭＨ９０のブロックは、第６の実施の形態において、制御部９２の機能が異なる。また、第６の実施の形態において、ＦＨＭ９０のコピー部９４は、ＤＬ信号のコピーを行わない。また、ＦＨＭ９０の合成部１００は、ＵＬ信号の合成を行わない。また、ＦＨＭ９０の記憶部９３は、記憶する情報の内容が異なる。複数のビームを形成するＤＵは、アンテナ一体型ＤＵと呼ばれてもよい。ビームを持たないＤＵは、アンテナ分離型ＤＵと呼ばれてもよい。
【０３１３】
図３２は、第６の実施の形態に係るＦＨＭ９０の動作例を説明する図である。図３２において、図１４と同じものには同じ符号が付してある。図３２に示すＤＵ４０１ａ〜４０１ｃは、アンテナ分離型ＤＵである。
【０３１４】
図３２には、テーブル２９１が示してある。テーブル２９１は、ＦＨＭ９０の記憶部９３に記憶される。テーブル２９１は、ＤＵ識別情報２９１ａと、ビーム識別情報２９１ｂと、有している。
【０３１５】
ＦＨＭ９０は、ＤＵ４０１ａ〜４０１ｃが接続されるポートを有している。テーブル２９１のＤＵ識別情報２９１ａは、ＤＵ４０１ａ〜４０１ｃが接続されるＦＨＭ９０のポートに付与された識別情報である。例えば、図３２に示す「ＤＵ＃１」は、ＤＵ４０１ａが接続されたＦＨＭ９０のポートに付与された識別子であり、「ＤＵ＃２」は、ＤＵ４０１ｂが接続されたＦＨＭ９０のポートに付与された識別子である。また、図３２に示す「ＤＵ＃ｎ」は、例えば、ＤＵ４０１ｃが接続されたＦＨＭ９０のポートに付与された識別子である。別言すれば、ＤＵ識別情報２９１ａは、複数のＤＵ４０１ａ〜４０１ｃを識別する識別情報と捉えることができる。
【０３１６】
ビーム識別情報２９１ｂは、ＤＵ４０１ａ〜４０１ｃに対応付けられたビームを識別する識別情報である。ＤＵ４０１ａ〜４０１ｃは、ビームを持たないアンテナ分離型ＤＵであるが、形式的にビーム識別情報２９１ｂが付与される。以下で説明するが、アンテナ分離型ＤＵのＤＵ４０１ａ〜４０１ｃに対し、ビーム識別情報２９１ｂを付与することにより、ＣＵ１は、ＦＨＭ９０の配下に接続されているＤＵ４０１ａ〜４０１ｃがアンテナ一体型ＤＵであるか、アンテナ分離型ＤＵであるかを区別しないで、ＦＨＭ９０と通信を行うことができる。具体的には、ＣＵ１は、ＦＨＭ９０の配下に接続されているＤＵ４０１ａ〜４０１ｃがアンテナ分離型ＤＵであっても、アンテナ一体型ＤＵと同様にＦＨＭ９０と通信を行うことができる。
【０３１７】
なお、ＦＨＭ９０の制御部９２は、例えば、ＤＵ４０１ａ〜４０１ｃがＦＨＭ９０に接続されたときに、ＤＵ４０１ａ〜４０１ｃがアンテナ一体型ＤＵであるか、またはアンテナ分離型ＤＵであるかを判定してもよい。ＦＨＭ９０の制御部９２は、ＤＵ４０１ａ〜４０１ｃがＦＨＭ９０に接続され、接続されたＤＵ４０１ａ〜４０１ｃがアンテナ分離型ＤＵであると判定した場合、テーブル２９１を生成し、記憶部９３に記憶してもよい。
【０３１８】
ＦＨＭ９０の動作例を説明する。以下では、ＤＵ４０１ａの配下にユーザ端末４ａが属し、ＤＵ４０１ｂの配下にユーザ端末４ｂが属する。
【０３１９】
ユーザ端末４ａは、ＤＵ４０１ａの配下に属するとき、ＤＵ４０１ａを経由してＦＨＭ９０と通信する。ＦＨＭ９０の制御部９２は、ＤＵ４０１ａを経由したユーザ端末４ａとの通信において、テーブル２９１を参照し、ＤＵ４０１ａが接続されたポートに対応するＢＭＩ１を取得する。ＦＨＭ９０は、取得したＢＭＩ１と、ユーザ端末４ａの識別情報とをＣＵ１に送信する。ユーザ端末４ａの識別情報として、ユーザ端末４ａからＲＡＣＨ（Random Access Channel）において送信されるＲＡＰＩＤ（Random Access preamble ID）が用いられてもよい。
【０３２０】
また、ユーザ端末４ｂは、ＤＵ４０１ｂの配下に属するとき、ＤＵ４０１ｂを経由してＦＨＭ９０と通信する。ＦＨＭ９０の制御部９２は、ＤＵ４０１ｂを経由したユーザ端末４ｂとの通信において、テーブル２９１を参照し、ＤＵ４０１ｂが接続されたポートに対応するＢＭＩ２を取得する。ＦＨＭ９０は、取得したＢＭＩ２と、ユーザ端末４ｂの識別情報とをＣＵ１に送信する。ユーザ端末４ｂの識別情報として、ユーザ端末４ｂからＲＡＣＨにおいて送信されるＲＡＰＩＤが用いられてもよい。
【０３２１】
ＤＬにおける動作を説明する。ＣＵ１は、ユーザ端末４ａ，４ｂにパケット（ＤＬ信号）を送信する。このとき、ＣＵ１は、ユーザ端末４ａ宛のパケットの、ＢＭＩの設定を行うヘッダ領域にＢＭＩ１を含めて送信する。また、ＣＵ１は、ユーザ端末４ｂ宛のパケットの、ＢＭＩの設定を行うヘッダ領域にＢＭＩ２を含めて送信する。なお、ＣＵ１は、ＦＨＭ９０から送信されたユーザ端末４ａの識別情報とＢＭＩ１とにより、ユーザ端末４ａ宛のパケットのヘッダ領域にＢＭＩ１を含めることができる。また、ＣＵ１は、ＦＨＭ９０から送信されたユーザ端末４ｂの識別情報とＢＭＩ２とにより、ユーザ端末４ｂ宛のパケットのヘッダ領域にＢＭＩ２を含めることができる。
【０３２２】
ＦＨＭ９０の受信部９１は、ＣＵ１から送信されたユーザ端末４ａ，４ｂ宛のパケットを受信する。ＦＨＭ９０の制御部９２は、ＣＵ１から送信されたユーザ端末４ａ宛のパケットの、ヘッダ領域に含まれるＢＭＩ１に基づいて、テーブル２９１を参照し、ＢＭＩ１に対応するＤＵ識別情報「ＤＵ＃１」を取得する。ＦＨＭ９０の制御部９２は、取得したＤＵ識別情報「ＤＵ＃１」に対応するＤＵ４０１ａに、ユーザ端末４ａ宛のパケットを送信する。このとき、ＦＨＭ９０の制御部９２は、ユーザ端末４ａ宛のパケットの、ＢＭＩが設定されるヘッダ領域を、ビーム無を示す情報に書き換え、ユーザ端末４ａ宛のパケットをＤＵ４０１ａに送信する。ＤＵ４０１ａは、ＦＨＭ９０から送信されたユーザ端末４ａ宛のパケットをアンテナから送信する。ユーザ端末４ａは、ＤＵ４０１ａのアンテナから送信されたユーザ端末４ａ宛のパケットを受信する。
【０３２３】
ＦＨＭ９０の制御部９２は、ＣＵ１から送信されたユーザ端末４ｂ宛のパケットの、ヘッダ領域に含まれるＢＭＩ２に基づいて、テーブル２９１を参照し、ＢＭＩ２に対応するＤＵ識別情報「ＤＵ＃２」を取得する。ＦＨＭ９０の制御部９２は、取得したＤＵ識別情報「ＤＵ＃２」に対応するＤＵ４０１ｂに、ユーザ端末４ｂ宛のパケットを送信する。このとき、ＦＨＭ９０の制御部９２は、ユーザ端末４ｂ宛のパケットの、ＢＭＩが設定されるヘッダ領域を、ビーム無を示す情報に書き換え、ユーザ端末４ｂ宛のパケットをＤＵ４０１ｂに送信する。ＤＵ４０１ｂは、ＦＨＭ９０から送信されたユーザ端末４ｂ宛のパケットをアンテナから送信する。ユーザ端末４ｂは、ＤＵ４０１ｂのアンテナから送信されたユーザ端末４ｂ宛のパケットを受信する。
【０３２４】
ＦＨＭ９０の制御部９２は、ＣＵ１から送信されたパケットの、ＢＭＩが設定されるヘッダ領域を、ビーム無を示す情報に書き換え、ＤＵ４０１ａ〜４０１ｃに送信する。この処理により、ＣＵ１は、ＦＨＭ９０の配下に接続されているＤＵ４０１ａ〜４０１ｃがアンテナ分離型ＤＵであっても、アンテナ一体型ＤＵと捉えて（パケットのＢＭＩが設定されるヘッダ領域にＢＭＩを含めて）、パケットを送信できる。すなわち、ＣＵ１は、ＦＨＭ９０の配下に接続されているＤＵ４０１ａ〜４０１ｃがアンテナ一体型ＤＵであるか、アンテナ分離型ＤＵであるかを区別しないで、ＦＨＭ９０と通信を行うことができる。
【０３２５】
ＵＬにおける動作を説明する。ＵＬのスケジューリング情報には、ユーザ端末４ａに割り当てられたＵＬの無線リソースの情報とＢＭＩ１とが含まれている。また、ＵＬのスケジューリング情報には、ユーザ端末４ｂに割り当てられたＵＬの無線リソースの情報とＢＭＩ２とが含まれている。ユーザ端末４ａ，４ｂには、或る時間領域Ｔにおいて、ＵＬの無線リソースが割り当てられている。
【０３２６】
ユーザ端末４ａ，４ｂは、ＵＬのスケジューリング情報に基づいて、或る時間領域Ｔにおいてパケット（ＵＬ信号）をＤＵ４０１ａ，４０１ｂに送信する。ＤＵ４０１ａは、ユーザ端末４ａから送信されたパケットを受信し、ＦＨＭ９０に送信する。ＤＵ４０１ｂは、ユーザ端末４ｂから送信されたパケットを受信し、ＦＨＭ９０に送信する。
【０３２７】
ＦＨＭ９０の受信部９７は、ＤＵ４０１ａからユーザ端末４ａのＵＬのパケットを受信する。ＦＨＭ９０の制御部９２は、テーブル２９１を参照し、ユーザ端末４ａのパケットを送信したＤＵ４０１ａ（ＤＵ識別情報「ＤＵ＃１」）に対応するＢＭＩ１を取得する。ＦＨＭ９０の制御部９２は、ＤＵ４０１ａから受信したユーザ端末４ａのパケットの、ＢＭＩが設定されるヘッダ領域を、取得したＢＭＩ１に書き換える。
【０３２８】
また、ＦＨＭ９０の受信部９７は、ＤＵ４０１ｂからユーザ端末４ｂのＵＬのパケットを受信する。ＦＨＭ９０の制御部９２は、テーブル２９１を参照し、ユーザ端末４ｂのパケットを送信したＤＵ４０１ｂ（ＤＵ識別情報「ＤＵ＃２」）に対応するＢＭＩ２を取得する。ＦＨＭ９０の制御部９２は、ＤＵ４０１ｂから受信したユーザ端末４ｂのパケットの、ＢＭＩが設定されるヘッダ領域を、取得したＢＭＩ２に書き換える。
【０３２９】
ＦＨＭ９０の制御部９２は、ＣＵ１から受信したＵＬのスケジューリング情報に含まれるＢＭＩ１，ＢＭＩ２に基づいてテーブル２９１を参照し、ＢＭＩ１，ＢＭＩ２に対応するＤＵ識別情報「ＤＵ＃１」、「ＤＵ＃２」を取得する。ＦＨＭ９０の制御部９２は、取得したＤＵ識別情報「ＤＵ＃１」、「ＤＵ＃２」から、ユーザ端末４ａ，４ｂを配下に持つＤＵ４０１ａ，４０１ｂを特定する。これにより、ＦＨＭ９０の制御部９２は、ＤＵ４０１ａ，４０１ｂから、或る時間領域Ｔにおいてパケットが送信され、ＤＵ４０１ｃからは、或る時間領域Ｔにおいてパケットが送信されないことを特定できる。
【０３３０】
ＦＨＭ９０の送信部１０２は、制御部９２によって特定されたＤＵ４０１ａ，４０１ｂから送信されたパケット（上記したヘッダ領域が書き換えられたパケット）をＣＵ１に送信する。例えば、ＦＨＭ９０の送信部１０２は、或る時間領域ＴにおいてＤＵ４０１ｃから送信されたパケット（例えば、矢印Ａ３０１に示すノイズのパケット）を受信部９７が受信しても、ＤＵ４０１ｃから送信されたパケットをＣＵ１に送信せず、或る時間領域ＴにおいてＤＵ４０１ａ，４０１ｂから送信されたパケット（上記したヘッダ領域が書き換えられたパケット）をＣＵ１に送信する。この処理により、ＦＨＭ９０は、ＣＵ１に送信するノイズを低減できる。
【０３３１】
以上説明したように、ＣＵ１と、ＤＵ４０１ａ〜４０１ｃとの間の通信を中継するＦＨＭ９０の記憶部９３は、ＤＵ識別情報２９１ａと、各ＤＵ４０１ａ〜４０１ｃに割り当てられたビーム識別情報２９１ｂと、が対応付けられたテーブル２９１を記憶する。受信部９１は、ＤＵ４０１ａ〜４０１ｃと無線通信を行うユーザ端末４ａ〜４ｂのスケジューリング情報を、ＣＵ１から受信する。制御部９２は、記憶部９３のテーブル２９１から、スケジューリング情報に含まれるアップリンクのビーム識別情報２９１ｂに対応するＤＵ識別情報２９１ａを取得し、取得したＤＵ識別情報２９１ａから、ユーザ端末４ａ〜４ｂを配下に持つＤＵ４０１ａ〜４０１ｃを特定する。送信部１０２は、特定されたＤＵ４０１ａ〜４０１ｃから送信されるパケットをＣＵ１に送信する。これにより、ＦＨＭ９０は、ＣＵ１に送信するノイズを低減できる。また、ＦＨＭ９０は、ＤＵ３ａ〜３ｃが増加した場合でも、ＵＬエリアの縮退を抑制できる。
【０３３２】
なお、上記では、ＦＨＭ９０の制御部９２は、ＢＭＩに基づいて、ＣＵ１から受信したＤＬのパケットをＤＵ４０１ａ〜４０１ｃのいずれかに送信したがこれに限られない。ＦＨＭ９０は、ＣＵ１から受信したＤＬのパケットを、コピー部９４でコピーして各ＤＵ４０１ａ〜４０１ｃに送信してもよい。例えば、ＦＨＭ９０のコピー部９４は、ユーザ端末４ａ宛のＤＬのパケットをコピーし、ＤＵ４０１ａ〜４０１ｃのそれぞれに送信してもよい。
【０３３３】
以上、各実施の形態について説明した。なお、上記の第１の実施の形態および第２の実施の形態で説明したＦＨＭ２，９０は、ＤＬ信号に対し、スイッチ機能を有していてもよい。例えば、ＦＨＭ２，９０は、ＤＬ信号をスイッチし、所定のＤＵ３ａ〜３ｃに送信するようにしてもよい。また、第２の実施の形態では、ビーム情報５１を受信するとしたが、記憶部９３に記憶されていてもよい。
【０３３４】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０３３５】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０３３６】
例えば、本開示の一実施の形態における無線基地局（ＣＵ、ＦＨＭ、ＤＵ）、ユーザ端末などは、本開示の無線通信方法の処理を行うコンピュータとして機能してもよい。図３３は、本開示の一実施の形態に係る無線基地局及びユーザ端末のハードウェア構成の一例を示す図である。上述の無線基地局及びユーザ端末は、物理的には、プロセッサ１００１、メモリ１００２、ストレージ１００３、通信装置１００４、入力装置１００５、出力装置１００６、バス１００７などを含むコンピュータ装置として構成されてもよい。
【０３３７】
なお、以下の説明では、「装置」という文言は、回路、デバイス、ユニットなどに読み替えることができる。無線基地局及びユーザ端末のハードウェア構成は、図に示した各装置を１つ又は複数含むように構成されてもよいし、一部の装置を含まずに構成されてもよい。
【０３３８】
無線基地局及びユーザ端末における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０３３９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部３１，６２，９２，２２３ａ，２５４，２６２ａ，２８２ａ、送信信号生成部３４、符号化・変調部３５、マッピング部３６、でマッピング部３９、チャネル推定部４０、復調・複合部４１、および通信品質取得部４２、デジタルＢＦ部６３，６８、ＩＦＦＴ／ＣＰ部６４、ＦＦＴ／ＣＰ部６７、コピー部９４、ディレイオフセット部９５，９９、ＩＦＦＴ部９８、合成部１００、ＦＦＴ部１０１、コピー／合成部２２２ａ，２２２ｂ、ＢＢ処理部２５２、計測部２５６、及び故障検知部２８１などは、プロセッサ１００１によって実現されてもよい。
【０３４０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０３４１】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０３４２】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。上述の記憶部３２，９３，２５５は、例えば、メモリ１００２およびストレージ１００３の一方または両方によって実現されてもよい。
【０３４３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述のＩ／Ｆ部３３，２２１，２２５，２５１，２５３、送信部３７，６９，９６，１０２、受信部３８，６１，９１，９７，２２４，２６１、および無線部６５，６６などは通信装置１００４によって実現されてもよい。
【０３４４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０３４５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０３４６】
また、無線基地局及びユーザ端末は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０３４７】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０３４８】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０３４９】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３５０】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０３５１】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０３５２】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０３５３】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【０３５４】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３５５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３５６】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３５７】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０３５８】
＜システム、ネットワーク＞
本開示において使用する「システム」及び「ネットワーク」という用語は、互換的に使用される。
【０３５９】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０３６０】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０３６１】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３６２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３６３】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３６４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０３６５】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０３６６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０３６７】
同様に、本開示におけるユーザ端末は、基地局で読み替えてもよい。この場合、上述のユーザ端末２０が有する機能を基地局１０が有する構成としてもよい。
【０３６８】
＜用語の意味、解釈＞
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０３６９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０３７０】
参照信号は、ＲＳ（Reference  Signal）と略称することもでき、適用される標準によってパイロット（Pilot）と呼ばれてもよい。
【０３７１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３７２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０３７３】
上記の各装置の構成における「手段」を、「部」、「回路」、「デバイス」等に置き換えてもよい。
【０３７４】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０３７５】
無線フレームは時間領域において１つ又は複数のフレームによって構成されてもよい。時間領域において１つ又は複数の各フレームはサブフレームと呼ばれてもよい。
【０３７６】
サブフレームは更に時間領域において１つ又は複数のスロットによって構成されてもよい。サブフレームは、ニューメロロジー（numerology）に依存しない固定の時間長（例えば、１ｍｓ）であってもよい。
【０３７７】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０３７８】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０３７９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０３８０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０３８１】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０３８２】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０３８３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０３８４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０３８５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０３８６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０３８７】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０３８８】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０３８９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０３９０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０３９１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３９２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０３９３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３９４】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３９５】
本開示に記載の「最大送信電力」は、送信電力の最大値を意味してもよいし、公称最大送信電力(the  nominal  UE  maximum  transmit  power)を意味してもよいし、定格最大送信電力(the  rated  UE  maximum  transmit  power)を意味してもよい。
【０３９６】
本開示において、例えば、英語でのa,  an及びtheのように、翻訳により冠詞が追加された場合、本開示は、これらの冠詞の後に続く名詞が複数形であることを含んでもよい。
【０３９７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３９８】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０３９９】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０４００】
本発明の一態様は、移動通信システムに有用である。
【符号の説明】
【０４０１】
１，２０１，２３１  ＣＵ
２，９０，２０２，２３２，２７１  ＦＨＭ
３ａ〜３ｃ，２０３ａ〜２０３ｃ，２３３ａ〜２３３ｃ，４０１ａ〜４０１ｃ  ＤＵ
４ａ〜４ｃ，２０４ａ〜２０４ｈ  ユーザ端末
３１，６２，９２，２２３ａ，２５４，２６２ａ，２８２ａ  制御部
３２，９３，２５５  記憶部
３３，２２１，２２５，２５１，２５３  Ｉ／Ｆ部
３４  送信信号生成部
３５  符号化変調部
３６  マッピング部
３７，６９，９６，１０２  送信部
３８，６１，９１，９７，２２４，２６１  受信部
３９  デマッピング部
４０  チャネル推定部
４１  復調・復号部
４２  通信品質取得部
５１，２５５ａ〜２５５ｄ，２９１  ビーム情報
５１ａ，２５５ａａ，２９１ａ  ＤＵ識別情報
５１ｂ，２５５ａｂ，２９１ｂ  ビーム識別情報
６３，６８  デジタルＢＦ部
６４  ＩＦＦＴ／ＣＰ部
６５，６６  無線部
６７  ＦＦＴ／ＣＰ部
９４  コピー部
９５，９９  ディレイオフセット部
９８  ＩＦＦＴ部
１００  合成部
１０１  ＦＦＴ部
２０５  受付装置
２０６  ネットワーク
２１１，２１２，２４１，２４２  ＢＢ処理装置
２２２ａ，２２２ｂ  コピー／合成部
２２３ｂ，２６２ｂ，２８２ｂ  スイッチ
２５２  ＢＢ処理部
２５６  計測部
２８１  故障検知部
Ｃ１，Ｃ２  セル
【図１】
2020095460.tif 000003
【図２】
2020095460.tif 000004
【図３】
2020095460.tif 000005
【図４】
2020095460.tif 000006
【図５】
2020095460.tif 000007
【図６】
2020095460.tif 000008
【図７】
2020095460.tif 000009
【図８】
2020095460.tif 000010
【図９】
2020095460.tif 000011
【図１０】
2020095460.tif 000012
【図１１】
2020095460.tif 000013
【図１２】
2020095460.tif 000014
【図１３】
2020095460.tif 000015
【図１４】
2020095460.tif 000016
【図１５】
2020095460.tif 000017
【図１６】
2020095460.tif 000018
【図１７】
2020095460.tif 000019
【図１８】
2020095460.tif 000020
【図１９】
2020095460.tif 000021
【図２０】
2020095460.tif 000022
【図２１】
2020095460.tif 000023
【図２２】
2020095460.tif 000024
【図２３】
2020095460.tif 000025
【図２４】
2020095460.tif 000026
【図２５】
2020095460.tif 000027
【図２６】
2020095460.tif 000028
【図２７】
2020095460.tif 000029
【図２８】
2020095460.tif 000030
【図２９】
2020095460.tif 000031
【図３０】
2020095460.tif 000032
【図３１】
2020095460.tif 000033
【図３２】
2020095460.tif 000034
【図３３】
2020095460.tif 000035
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
配下に収容している端末と無線通信を行う複数の第１ユニットのそれぞれと通信を行い、第２ユニットと通信を行うフロントホールマルチプレクサであって、
端末を収容した異なる第１ユニットから受信した信号に含まれるデータを合成する合成部と、
前記合成したデータを含む信号を前記第２ユニットに送信する送信部と、
を有するフロントホールマルチプレクサ。
【請求項２】
前記合成部は、端末を収容しない第１ユニットから受信した信号のデータを、端末を収容する第１ユニットから受信した信号のデータと合成しない、
請求項１に記載のフロントホールマルチプレクサ。
【請求項３】
配下に収容している端末と無線通信を行う複数の第１ユニットのそれぞれと通信を行い、第２ユニットと通信を行うフロントホールマルチプレクサの信号合成方法であって、
端末を収容した異なる第１ユニットから受信した信号に含まれるデータを合成し、
前記合成したデータを含む信号を前記第２ユニットに送信する、
信号合成方法。
【手続補正３】
【補正対象書類名】明細書
【補正対象項目名】０００１
【補正方法】変更
【補正の内容】
【０００１】
本開示は、フロントホールマルチプレクサ及び信号合成方法に関する。
【国際調査報告】
2020095460.tif 000036
2020095460.tif 000037
2020095460.tif 000038
2020095460.tif 000039